(57)【要約】本発明は、ディスペンサー内に収容されたスキンケア組成物を含むスキンケアキットであって、分配パッケージポンプの作動によって予め定められた量のスキンケア組成物を一貫して放出することができ、前記組成物が該ディスペンサーの分配面を通じて放出されるスキンケアキットに関する。本発明のスキンケア組成物は、油性連続相と水性不連続相を含む油中水型エマルションである。
2004531319.tif 000002
【特許請求の範囲】
【請求項１】
分配パッケージ内に収容された油中水型エマルションスキンケア組成物を含むスキンケアキットであって、前記分配パッケージは、該パッケージの作動面の完全作動によって予め定められた量の前記スキンケア組成物を放出することができ、前記組成物を皮膚に付けるために前記作動面内に一体化して形成された開口部を通じて前記組成物が前記作動面上に分配されるスキンケアキット。
【請求項２】
前記開口部は、前記作動面の表面領域の周囲に無作為に配置された複数の上部バルブ分配オリフィスを具備する、請求項１に記載のスキンケアキット。
【請求項３】
前記開口部は、単一の上部バルブ分配オリフィスを具備するか、あるいは該上部バルブ分配オリフィスが前記作動面の外径の径方向軸線上の中間点に配置されている、請求項１または２のいずれかに記載のスキンケアキット。
【請求項４】
前記作動面が完全に作動した時に放出される前記スキンケア組成物の量は、０．７５ｍｌ〜１．２５ｍｌである、請求項１〜３のいずれか一項に記載のスキンケアキット。
【請求項５】
前記油中水型エマルションは、
ｉ）シリコーンエラストマー、あるいは乳化シリコーンエラストマーから成る群から選択されるシリコーンエラストマー、あるいはジメチコーンコポリオールクロスポリマー；  非乳化シリコーンエラストマー、あるいはジメチコーン／ビニルジメチコーンクロスポリマーから成る群から選択される非乳化シリコーンエラストマー；
ｉｉ）連続疎水性相；及び
ｉｉｉ）不連続親水性相あるいは水；
を含む、請求項１〜４の一項に記載のスキンケアキット。
【請求項６】
前記疎水性相は、ジメチコーン、シクロメチコーン（cylcomethicone）、及びこれらの混合物から成る群から択一的に選択されるシリコーン油を組成物の５重量％〜９９重量％含み、該シリコーン油が疎水性相に存在する、請求項１〜５の一項に記載のスキンケアキット。
【請求項７】
前記組成物は、該組成物の０．１重量％〜３０重量％のシリコーンエラストマーを含む、請求項５に記載のスキンケアキット。
【請求項８】
分配パッケージ内に収容された油中水型エマルションスキンケア組成物を含むスキンケアキットであって、前記分配パッケージは、該パッケージの作動面の完全作動によって予め定められた量の前記スキンケア組成物を放出することができ、前記組成物を皮膚に付けるために前記作動面内に一体化して形成された開口部を通じて前記スキンケア組成物が前記作動面上に分配され、前記スキンケアキットは、
Ａ）以下を含む油中水型エマルション：
ｉ）シリコーンエラストマー；
ｉｉ）連続疎水性相；及び
ｉｉｉ）不連続親水性（hyarophilic）相；並びに
Ｂ）分配されるスキンケア組成物の供給物を保管するための容器を含む前記ディスペンサーであって、前記容器が底部と上部を有し、前記底部が摺動可能な従動ピストンを有し、前記上部が前記スキンケア組成物を分配するためのポンプを有する前記ディスペンサー、を備え、前記ポンプは、
ｉ）ポンプユニットの下部隔壁に設けられ、前記隔壁に形成された第一開口部を通じている、前記容器の内部とポンプチャンバーとの間の連絡を制御するための第一逆止め弁；
ｉｉ）前記第一開口部を囲み、第一逆止め弁が接続するガイドスリーブ装置であって、前記隔壁から上方に延長して前記ポンプチャンバーを円周状に画定すると共に、内周及び外周ガイドスリーブを有するガイドスリーブ装置；
ｉｉｉ）周辺下向きに突出する外壁部及び内部管状部を有するカップ形の作動面であって、後者が圧力ピストンとスナップ接続を形成し、
ａ）前記作動面の外壁部が、ガイドスリーブ装置の外周ガイドスリーブ及び保持リングの外壁と摺動可能に嵌合し、前記作動面の軸上方移動を制限するための共働停止突起物が設けられており；
ｂ）前記外部ガイドスリーブが前記ポンプユニットの前記下部隔壁と一体化し、前記作動面の管状部が前記分配オリフィスの直径よりも大きな直径を有する下向きに延長する部分を有し、及び前記ガイドスリーブ装置の前記内周ガイドスリーブと摺動可能に嵌合したピストンを保持するために圧力ピストンを支持し、それによって前記ポンプチャンバーを形成する空間を画定し、
ｃ）前記分配ピストンが前記作動面の管状部に見合った開口部を有する、作動面；並びに
ｉｖ）前記作動面を静止位置に偏らせるための、前記保持リングの下方壁の固定部と前記作動面との間に延長する圧力ばね、を備えるスキンケアキット。
【請求項９】
分配パッケージ内に収容された油中水型エマルションスキンケア組成物を含むスキンケアキットであって、前記分配パッケージは、該パッケージの作動面の完全作動によって予め定められた量の前記スキンケア組成物を放出することができ、前記組成物を皮膚に付けるために前記作動面内に一体化して形成された開口部を通じて前記スキンケア組成物が前記作動面上に分配され、前記スキンケアキットは、
Ａ）以下を含む油中水型エマルション：
ｉ）シリコーンエラストマー；
ｉｉ）連続疎水性相；及び
ｉｉｉ）不連続親水性（dydrophilic）相；並びに
Ｂ）分配されるスキンケア組成物の供給物を保管するための容器を含む前記ディスペンサーであって、前記容器が底部と上部を有し、前記底部が摺動可能な従動ピストンを有し、前記上部が前記スキンケア組成物を分配するためのポンプを有する前記ディスペンサー、を備え、前記ポンプは、
ｉ）ポンプユニットの下部隔壁に設けられ、前記隔壁に形成された第一開口部を通じている、前記容器内部とポンプチャンバーとの間の連絡を制御するための第一逆止め弁；
ｉｉ）前記第一開口部を囲むガイドスリーブ装置であって、前記隔壁から上方に延在して前記ポンプチャンバーを円周状に画定し、内周及び外周ガイドスリーブを有するガイドスリーブ装置；
ｉｉｉ）周辺下向きに突出する外壁部及び内部管状部を有するカップ形の作動面であって、後者がばねハウジングにスナップ接続を形成し、
ａ）前記作動面の外壁部が、保持リングの外壁と摺動可能に嵌合し、
ｂ）前記ばねハウジングが前記保持リングと一体化した内部ガイドスリーブと摺動可能に嵌合し、前記作動面の軸方向上向きの移動を制限するために前記ばねハウジングに前記内部ガイドスリーブと嵌合する共働停止突出部が設けられ、ばねハウジングが前記作動面と内部で嵌合し、圧力ピストンと外部で嵌合する管状部を有し、
ｃ）前記作動面の管状部が分配オリフィスの直径よりも大きい直径を有する下向きに延長する部分を有する、
ｄ）前記ばねハウジングが前記ガイドスリーブ装置の内周ガイドスリーブと摺動可能に嵌合するピストンを保持するために圧力ピストンとスナップ接続を形成し、それによって前記ポンプチャンバーを形成する空間を画定し、
ｅ）前記圧力ピストンが作動面及びばねハウジングの前記管状部に見合った開口部を有し、
ｆ）ポンプチャンバーと前記圧力ピストン内に形成された第二の開口部を通じてオリフィスに通じる作動面の管状部との間の連絡を制御するためにポンプユニットの圧力ピストン部の管状部に第二逆止め弁が設けられている、作動面；並びに
ｉｖ）前記作動面を上方静止位置に偏らせるための、前記保持リングの下方壁の固定部と前記ばねハウジングとの間に延長する圧力ばね、を備えるスキンケアキット。
【請求項１０】
前記開口部は、前記作動面の表面領域の周囲に無作為に配置された複数の上部バルブ分配オリフィスを具備する、請求項１〜９のいずれか一項に記載のスキンケアキット。
【請求項１１】
前記開口部は、単一の上部バルブ分配オリフィスを具備するか、あるいは前記上部バルブ分配オリフィスが前記作動面の外径の直径方向軸線上の中間点に配置されている、請求項１０に記載のスキンケアキット。
【請求項１２】
前記スキンケア組成物は、該組成物の０．１重量％〜３０重量％のシリコーンエラストマーを含む、請求項１１に記載のキット。
【請求項１３】
前記組成物は、更に、ビタミン、アラントイン、微粒子、日焼け止め剤、剥離剤、酸化防止剤、フリーラジカルスカベンジャー、キレート剤、フラボノイド（flavanoids）、抗炎症剤、抗セルライト剤、局所用麻酔剤、日焼け活性剤、美白剤、抗菌活性剤、抗カビ活性剤、コンディショニング剤、及びこれらの混合物から成る群より選択される追加スキンケア活性剤を０．１％〜５０％含む、請求項１〜１２のいずれか一項に記載のスキンケアキット。
【発明の詳細な説明】
【技術分野】
【０００１】
（関連出願に対する相互対照）
本出願は、２００１年５月２９日に出願された米国仮出願第６０／２９４，１３６号、及び１９９８年４月２０日に出願された米国特許出願第０９／０６３，３２４号の利益を主張する。
【０００２】
（発明の分野）
本発明は、コンディショニングスキンケア組成物及び消費者の使用を促進するためのこのような組成物用のディスペンサーを含むキットの分野に関する。
【背景技術】
【０００３】
消費者は今日、皮膚の健康及びスキンケアによる恩恵が期待される無数にのぼる化粧品及びスキンケア製品の選択に直面している。このようなスキンケア製品は、クリーム、ローション、乳清を包含する多数の形態で入手できる。また、当該技術分野における特定製品のマーケティング／パッケージング、利益（実際の利益と予期される利益の双方）、及び消費者へのアピールとの間には複雑な関係があることが理解される。特に、消費者は一般に自分が好ましいとする製品形態と関連する種類のパッケージを購入する傾向が強い。例えば、クリーム処方には通常は瓶が付随するが、ローションには使用毎に分配される組成物の量を制限するディスペンサーが付随している。簡単に付けられる量、及び効果に最適な用量の製品を容易に送達することは、消費者がある製品を他の製品よりも好むということにおいて軽視できない。最後に、実際の皮膚の健康状態及び／またはスキンケアによる恩恵と無関係な美観的利益が、消費者の製品購入決定において強力な要因になっている。例えば、消費者が保湿組成物のような大量の類似製品から選択するという状況に直面した時、消費者はパッケージイング、広告活動、香料、及びブランドなどの要因に基づいて製品を選ぶことが多い。
【発明の開示】
【発明が解決しようとする課題】
【０００４】
スキンケア市場においては、消費者は特定の製品形態への好みを示しており、それに対応する好ましい製品形態に関連する種類のパッケージの好みをも現している。それゆえ、新規処方及び／または製品形態を導入する者にとって、パッケージイングの選択を慎重に考慮することは、製品全体が、消費者が容認できるものであり、並びに意図した製品利益を提供することを確実とするために重要である。
【課題を解決するための手段】
【０００５】
本発明は、ディスペンサー内に収容されたスキンケア組成物を含み、ディスペンサーの分配面を通じて組成物が送達される分配パッケージポンプの作動によって、予め定められた量のスキンケア組成物を一貫して放出することができるスキンケアキットに関する。本発明のスキンケア組成物は、油中水型エマルション、例えばシリコーンエラストマーを含む油中水型エマルションであり、油は連続相であり、水は主として不連続相である。
【発明を実施するための最良の形態】
【０００６】
本発明のディスペンサー構成部品の別の実施形態を、添付図面を参照した例によって記載する。
他に明示されない限り、本明細書で使用するパーセント及び割合は全て総組成物の重量によるものであり、測定は全て２５℃で行われる。
【０００７】
本発明の組成物は、本明細書に記載されている必須並びに任意の成分及び構成要素を含むか、それらから実質的に成るか、またはそれらから成り得る。本明細書で使用する「から実質的に成る」とは、追加成分が特許請求された組成物または方法の基本的及び新規な特徴を物質的に変化させない場合に限り、前記組成物または構成要素がこのような追加成分を包含する可能性があることを意味する。
【０００８】
本明細書で引用した刊行物は、その全てを参考として本明細書に組み入れる。本明細書で使用する用語「局所に付ける」とは、本発明の組成物を皮膚表面に付けるまたは塗り広げることを意味する。
【０００９】
本明細書で使用される「皮膚科学的に許容可能な」とは、このように記載されているこれらの組成物または構成要素が不当な毒性、不適合性、不安定性、アレルギー反応等を有することなくヒトの皮膚と接触させて使用するのに適していることを意味する。
【００１０】
本明細書で使用する「安全且つ有効な量」という用語は、本明細書に開示した恩恵を独立に含み、明確な恩恵、好ましくは明確な皮膚外観または肌触りでの利点を有意に生じさせるには十分であるが、堅実な医学的判断の範囲内で重い副作用を回避するのに十分に低い、すなわち合理的な利益に対する危険比を示す化合物、構成要素、または組成物の量を意味する。
【００１１】
本明細書で有用な活性成分及び他の成分は、その美容的及び／または治療的利益、あるいはその要求される作用様式によって、本明細書で分類または記載することもできる。しかし、本発明で有用な活性成分及び他の成分が、場合によっては２つ以上の美容的及び／または治療的利益を提供し、あるいは２つ以上の作用様式を介して操作できることが理解されるべきである。従って、本明細書での分類は便宜上のものであって、特に述べたまたは列記した付与に成分を制限しようとするものではない。
【００１２】
消費者は、組成物中の珍しい及び／または高価なスキンケア活性成分を最適化するため、並びに過剰な量の組成物を皮膚から取り除かなければならなくなることを防ぐために、正確な用量を送達できる組成物を選択することが多いことが明らかになった。例えば、正確な量の組成物が放出されることを望む場合、瓶またはチューブに比べてポンプディスペンサーまたはその他の１回用量ディスペンサーを用いることによって予め定められた量が制御されて分配されることを、消費者は通常より好む。それゆえ、本発明のディスペンサーは、容器から分配される組成物の量を機械的に制御することから、完全作動時に予め定められた量を分配することができる。製品を作動面上に分配し、厳密な用量許容度を有するパッケージは、製品の表面が口蓋のように作用すると同時に分配され、ユーザーは指を前記組成物の中に選択的に当て、皮膚の特定の部分に望ましい量の組成物を均一に塗布させることから、人気があることも明らかになっている。
【００１３】
本発明に使用できる油中水型エマルションの群に加えて、別の方法の油中水型エマルションはシリコーンエラストマー類を含む。予め定められた量の組成物が、分配できるディスペンサー内で使用されるときには、皮膚のコンディショニング及び皮膚の状態の調節を包含するがこれらに限定されない改良されたスキンケアの恩恵が、消費者によって実感される。理論に制限されることなく、改良された利益は次の２つの要因の相乗的組み合わせの結果であると考えられている：（１）油中水型エマルションとシリコーンエラストマーとの両方を含有し、改良された肌触りを提供する組成物；及び（２）すべてのユーザーの二ーズに適合する、予め定められた最適な量の製品を分配できるディスペンサー。
【００１４】
本発明の別の実施形態は、組成物が次のようにシリコーン中水型エマルションを含むようにディスペンサー内に収容されたスキンケア組成物を含み：約２５％〜約７５％のシリコーン油を含む疎水性相；約０．５％〜約３％のシリコーンエラストマー；親水性水相；０％〜約２％のジメチコーンコポリオール乳化剤；約０．１％〜約１０％の反射性粒子状物質；及び約０．０００１％〜約２０％のスキンケア活性物質。ここで、前記組成物は約１５０００ｃｐｓ〜約１００，０００ｃｐｓの粘度及び約５〜約７のｐＨを有する。
【００１５】
油中水型組成物を含有するシリコーンエラストマーは、適用時に伝統的な水中油型エマルションよりももっと贅沢な絹のような感触を皮膚に付与し、製品を皮膚に完全に吸収するまでにより多くのマッサージ時間を必要とする。この追加のマッサージ時間は、高級感を加え、消費者に非常に手厚い手入れの感覚を残す。
【００１６】
本発明の組成物は、局所に付けるのに有用であり、及び皮膚に本組成物を付けた後の保湿を含めた皮膚のコンディショニングにも有用である。更に、とりわけ本発明の組成物は、皮膚の目視できる及び／または触知できる不連続性の調整、皮膚構造及び／または色の、目視できる及び／または触知できる不連続性、とりわけ皮膚の老化に関連した不連続性が含まれるが、これらには限定されない皮膚の状態の調整に有用である。このような不連続性は内在性及び／または外在性因子によって誘導されるか、または引き起こされる。外因性因子には紫外線（例えば、日光暴露による）、環境汚染、風、熱、低い湿度、強力な界面活性剤、研磨剤等が含まれる。内因性因子には加齢による老化及びその他の皮膚内部からの生化学的変化が含まれる。
【００１７】
本発明は、上述の分配デバイスを用いて内部に収容される本スキンケア組成物を局所に付けることによって皮膚の状態を調節する方法にも関する。
【００１８】
本発明のスキンケアキットは安定性、重大な（使用者の許容不可能な）皮膚刺激がないこと、及び良好な美観を含む追加的な利益を提供する。
【００１９】
本発明のスキンケアキットは、ディスペンサー内に収容されたスキンケア組成物を含む。該スキンケア組成物は、油中水型エマルション、あるいはシリコーンエラストマーを含有する油中水型エマルションを含む。
【００２０】
本明細書のスキンケアキットはまた、多種多様なその他の成分を含むことも可能である。本発明のスキンケアキットを以降詳細に記載する。
【００２１】
Ｉ．スキンケア組成物
本発明のスキンケア組成物は、当業者に既知の、及び２０００年１０月２６日発行のＰＣＴ出願ＷＯ００／６２７４３、及び２００２年１月１７日発行のＷＯ０２／０５９５２に開示されている油中水型エマルションを含む。
【００２２】
（油中水型組成物）
本発明の組成物は油中水型エマルション、好ましくはシリコーン油中水型エマルションを含み、その中に前記エマルションの他の構成要素が、皮膚に利益を与える組成物を適切な濃度で皮膚に放出できるように組み入れられる。従って、組成物が選択された標的に適切な濃度で付けられ、均一に分布されることを確実とするその他の組成物構成要素などの希釈剤、分散剤、溶媒等として、エマルションは作用することができる。
【００２３】
好適な油中水型エマルションには、皮膚科学的に許容可能な従来のまたは別の方法での既知のキャリアが挙げられる。エマルション構成要素はまた、本明細書に記載されている必須構成要素と物理的及び化学的に適合性があるものにすべきで、本発明の組成物に関連する安定性、有効性、またはその他の使用利益を過度に損なうものにすべきではない。
【００２４】
このような油中水型エマルションは、親水性構成要素、例えば水またはその他の親水性希釈剤を含む親水性相と、疎水性構成要素、例えば、脂質、油、または油性物質を含む疎水性相とを含む。当業者には周知のように、親水性相が疎水性相中に分散して、親水性分散相及び疎水性連続相を形成する。エマルション技術では、「分散相」という用語は当業者には周知の用語であり、相が、連続相中に懸濁した、または連続相に囲まれた小粒子または液滴として存在することを意味する。分散相は、内部相または不連続相としても知られている。
【００２５】
本発明の組成物は、油中水型エマルション、あるいはシリコーンエラストマーを含む油中水型エマルションを含む。このような組成物には、約１５，０００〜約１００，０００センチポアズ（ｃｐｓ）の見かけ粘度を持つものが包含される。これらの油中水型組成物は、水または不連続相に可溶化された、及び最終的に該組成物の油若しくは連続相または油相に分散されるスキンケア活性剤を包含することもできる。本発明の組成物に有用なスキンケア活性剤としては、ナイアシンアミド、ビタミンＥアセテート、デクスパンテノール、パルミトイル−ペンタペプチド、サリチル酸（salicyclic acid）、レチノイド、日焼け止め剤、及びこれらの混合物が挙げられる。本明細書で有用な組成物の非限定例には、次が挙げられる。
【００２６】
ａ）約１５，０００〜約４０，０００ｃｐｓ、あるいは約２５，０００ｃｐｓの粘度を有する薄い乳清、ｂ）約２５，０００〜約１００，０００ｃｐｓ、あるいは約４０，０００ｃｐｓの粘度を有するローション、及びｃ）約２５，０００〜約１００，０００ｃｐｓ、あるいは約６０，０００ｃｐｓの粘度を有するクリーム。
【００２７】
（粘度測定）
粘度は、ブルックフィールド（Brookfield）ＲＶＤＶ−ＩＩデジタル粘度計、Ｔ−Ｃスピンドル（スピンドル９３、クロスバー長さ２７．１ｍｍ）、５ｒｐｍ、またはその同等物を用いて求めることができる。粘度測定の前に、組成物をその調製後または取扱いの結果生じる攪拌の後で安定化させる。一般に、安定化は２５℃＋／−１℃及び大気圧の条件下で少なくとも２４時間持続すべきである。粘度測定の更なる準備において、組成物は、粘度測定に摩擦影響をまったくまたはごくわずかしか生じない容器（例えば、少なくとも２８ｍｍのオリフィスを備えた６０ｍＬ（２オンス）ガラス瓶）内に入れられる。３０秒のスピンドル回転後、２５℃＋／−１℃の温度で組成物の粘度を測定する。５回の粘度測定値を集計し、該測定値の平均を計算して、組成物の粘度を求める。
【００２８】
本発明の組成物は、一般に約３〜約９、より好ましくは約４〜約８、さらにより好ましくは約５〜約７、最も好ましくは約６．２５〜約７のｐＨを有する。
【００２９】
油中水型エマルション
１．（疎水性相）
本発明によるエマルションは、脂質、油、油性またはその他の疎水性構成要素を含む疎水性相を含有する。本発明の組成物は、好ましくは組成物の約２５重量％〜約９０重量％、好ましくは約２７重量％〜約８０重量％、より好ましくは約３０重量％〜約７０重量％の疎水性相を含む。疎水性構成要素は、動物、植物または石油に由来してもよく、天然でも合成（人工）でもよい。好ましい疎水性構成要素は、実質的に非水溶性であり、より好ましくは本質的に非水溶性である。好ましい疎水性構成要素は、融点が約１気圧の下で約２５℃以下であり、皮膚のコンディショニングに好適な疎水性構成要素である。
【００３０】
好適な疎水性構成要素の非限定例としては、次から成る群から選択される疎水性構成要素が挙げられる。
【００３１】
ａ）シリコーンエラストマー
本発明の組成物は、組成物の約０重量％〜約３０重量％のシリコーンエラストマー成分を包含することもできる。あるいは、組成物はその約０．１重量％〜約３０重量％、または約０．５重量％〜約１０重量％のシリコーンエラストマー成分を包含する。シリコーンエラストマーに関係する場合は、そのようなパーセントはすべて、エラストマーの量を基準とし、市販の材料に含まれる可能性があるキャリアまたは副生成物の量は基準としない。市販のシリコーンエラストマーは、しばしばシリコーン油によって溶液中の全体の組成物中に導入されている。そのようなシリコーン油の量は、本発明の組成物中に存在するシリコーン油の全体的なパーセントで考える。
【００３２】
本明細書での使用に適切なのはシリコーンエラストマーであり、それは乳化型または非乳化型架橋シロキサンエラストマー、あるいはこれらの混合物であり得る。架橋オルガノポリシロキサンエラストマーの出発物質として役立つ硬化可能なオルガノポリシロキサン組成物の種類に関しては、具体的な制約はない。
【００３３】
本発明の組成物は、乳化型架橋オルガノポリシロキサンエラストマー、非乳化型架橋オルガノポリシロキサンエラストマー、またはその混合物を包含することもできる。本明細書で使用する用語「非乳化型」とは、ポリオキシアルキレン単位が存在しない架橋オルガノポリシロキサンエラストマーと定義する。本明細書で使用する用語「乳化型」とは、少なくとも１つのポリオキシアルキレン（例えば、ポリオキシエチレンまたはポリオキシプロピレン）単位を有する架橋オルガノポリシロキサンエラストマーを意味する。本発明で有用な非乳化型エラストマーは、オルガノハイドロジェンポリシロキサン（organohydroenpolysiloxanes）をα，ω−ジエンと架橋することによって形成される。本明細書の乳化型エラストマーには、オルガノハイドロジェンポリシロキサンとポリオキシアルキレンジエンまたはα，ω−ジエンと架橋した少なくとも１つのポリエーテル基を有するオルガノハイドロジェンポリシロキサンから架橋によって形成されるポリオキシアルキレン変性エラストマーが挙げられる。乳化型架橋オルガノポリシロキサンエラストマーは特に、１９９５年５月２日に発行された米国特許第５，４１２，００４号；１９９８年１１月１７日に発行された同第５，８３７，７９３号；及び１９９８年９月２２日に発行された同第５，８１１，４８７号に記載されている架橋ポリマーから選択することができる。さらに、ジメチコーンコポリオールクロスポリマー（及びジメチコーン）を含む乳化型エラストマーは、商品名ＫＳＧ−２１として信越（Shin Etsu）から入手可能である。
【００３４】
非乳化型エラストマーは、ジメチコーン／ビニルジメチコーンクロスポリマーである。そのようなジメチコーン／ビニルジメチコーンクロスポリマーは、ダウ・コーニング（Dow Corning）（ＤＣ９０４０及びＤＣ９０４１）、ゼネラル・エレクトリック（General Electric）（ＳＦＥ８３９）、信越（Shin Etsu）（ＫＳＧ−１５、１６、１８［ジメチコーン／フェニルビニルジメチコーンクロスポリマー］）、及びグラント・インダストリーズ（Grant Industries）（グランシ（GRANSI）−L（商標）ラインのエラストマー）を含む様々な供給元から供給される。本発明で有用な架橋オルガノポリシロキサンエラストマー及びその製造方法については、１９９０年１１月１３日にサクタ（Sakuta）らに発行された米国特許第４，９７０，２５２号、１９９８年６月２日にキルゴール（Kilgour）らに発行された米国特許第５，７６０，１１６号、１９９７年８月５日にシュルツ・ジュニア（Schulz,Jr.）らに発行された米国特許第５，６５４，３６２号にさらに記載されている。本発明で有用な追加の架橋オルガノポリシロキサンエラストマーは、ポーラ化成工業株式会社（Pola Kasei Kogyo KK）に譲渡された日本特許出願ＪＰ１−１８７０８に開示されている。本明細書での使用に好ましい市販のエラストマーは、ダウ・コーニング（Dow Corning）の９０４０シリコーンエラストマー混合物、信越（Shin Etsu）のＫＳＧ−２１、及びこれらの混合物である。
【００３５】
ｂ）鉱油
液状ワセリンとして知られる鉱油は、石油から得られる液状炭化水素の混合物である。メルクインデックス（The Merck Index）の第１０版、エントリー７０４８、１０３３頁（１９８３年）及び国際化粧品成分事典（International Cosmetic Ingredient Dictionary）の第５版、第１巻、４１５〜４１７頁（１９９３年）を参照のこと。
【００３６】
ｃ）ワセリン
石油ゼリーとしても知られるワセリンは、非直鎖の固体炭化水素と沸点の高い液状炭化水素のコロイド系で、ほとんどの液状炭化水素はミセルの内側にある。メルクインデックス（The Merck Index）、第１０版、エントリー７０４７、１０３３頁（１９８３年）；シンドラー（Schindler）、ドラッグ・コスメティック・インダストリ（Drug.Cosmet.Ind.）、８９、３６−３７、７６、７８−８０、８２（１９６１年）；及び国際化粧品成分事典（International Cosmetic Ingredient Dictionary）、第５版、第１巻、５３７頁（１９９３年）を参照のこと。
【００３７】
ｄ）約７個〜約４０個の炭素原子を有する直鎖及び分枝鎖炭化水素
これらの炭化水素物質の非限定的な例としては、ドデカン、イソドデカン、スクアラン、コレステロール、水素添加ポリイソブチレン、ドコサン（即ち、Ｃ22炭化水素）、ヘキサデカン、イソヘキサデカン（パーメチル（Permethy）（登録商標）１０１Ａとして、米国ニュージャージー州サウスプレインフィールドのプレスパース（Presperse, South Plainfield）から市販されている炭化水素）が挙げられる。Ｃ7〜Ｃ40分枝鎖炭化水素であるＣ7〜Ｃ40イソパラフィンも有用である。
【００３８】
ｅ）直鎖及び分枝鎖物質並びに芳香族誘導体を包含するＣ1〜Ｃ30カルボン酸及びＣ2〜Ｃ30ジカルボン酸のＣ1〜Ｃ30アルコールエステル（本明細書で疎水性構成要素に関して使用する時、モノ−及びポリ−カルボン酸は直鎖、分枝鎖及びアリールカルボン酸を包含する）。
【００３９】
非限定例として、セバシン酸ジイソプロピル、アジピン酸ジイソプロピル、ミリスチン酸イソプロピル、パルミチン酸イソプロピル、パルミチン酸メチル、プロピオン酸ミリスチル、パルミチン酸２−エチルヘキシル、イソデシルネオペンタノエート、マレイン酸ジー２−エチルヘキシル、パルミチン酸セチル、ミリスチン酸ミリスチル、ステアリン酸ステアリル、イソステアリン酸イソプロピル、ステアリン酸メチル、ステアリン酸セチル、ベヘン酸ベヘニル、マレイン酸ジオクチル、セバシン酸ジオクチル、アジピン酸ジイソプロピル、オクタン酸セチル、及びジリノール酸ジイソプロピルが挙げられる。
【００４０】
ｆ）Ｃ1〜Ｃ30カルボン酸のモノ−、ジ−及びトリ−グリセリド
このような増粘剤の非限定例には、カプリル酸／カプリン酸トリグリセリド、ＰＥＧ６カプリル酸／カプリン酸トリグリセリド、ＰＥＧ−８カプリル酸／カプリン酸トリグリセリド等が挙げられる。
【００４１】
ｇ）Ｃ1〜Ｃ30カルボン酸のアルキレングリコールエステル
好適な増粘剤には、Ｃ1〜Ｃ30カルボン酸のエチレングリコールモノ−及びジ−エステル、並びにプロピレングリコールモノ−及びジ−エステル（例えば、エチレングリコールジステアレート）が挙げられる。
【００４２】
ｈ）前述の物質のプロポキシ化及びエトキシ化誘導体
ｉ）糖及び関連物質のＣ1〜Ｃ30モノ−及びポリ−エステル
これらのエステルは、糖またはポリオール部及び１つまたは複数のカルボン酸部に由来する。構成要素である酸及び糖によっては、これらのエステルは、室温で液体または固体形態をとることができる。液状エステルの例としては、グルコーステトラオレエート、大豆油脂肪酸（不飽和）のグルコーステトラエステル、混合大豆油脂肪酸のマンノーステトラエステル、オレイン酸のガラクトーステトラエステル、リノール酸のアラビノーステトラエステル、キシローステトラリノレート、ガラクトースペンタオレエート、ソルビトールテトラオレエート、不飽和大豆油脂肪酸のソルビトールヘキサエステル、キシリトールペンタオレエート、スクローステトラオレエート、スクロースペンタオレテート、スクロースヘキサオレエート、スクロースヘプタオレエート、スクロースオクタオレエート、及びこれらの混合物が挙げられる。固体状エステルの例には、カルボン酸エステル部が１：２のモル比でパルミトレエートとアラキデートであるソルビトールヘキサエステル、カルボン酸エステル部が１：３のモル比でリノレエートとベヘネートであるラフィノースのオクタエステル；エステル化カルボン酸部が３：４のモル比でヒマワリ種子油脂肪酸とリグノセレートであるマルトースのヘプタエステル；エステル化カルボン酸部が２：６のモル比でオレエートとベヘネートであるスクロースのオクタエステル；及びエステル化カルボン酸部が１：３：４のモル比でラウレート、リノレエート、及びベヘネートであるスクロースのオクタエステル、が挙げられる。好ましい固体物質は、エステル化度が７〜８であり、脂肪酸部がＣ18モノ−及び／またはジ−不飽和脂肪酸並びにベヘン酸であり、不飽和：ベヘン酸のモル比が１：７〜３：５であるスクロースポリエステルである。特に好ましい固体の糖ポリエステルは、分子中に約７のベヘン脂肪酸部と約１のオレイン酸部があるスクロースのオクタエステルである。その他の物質としては、スクロースの綿実油または大豆油脂肪酸エステルが挙げられる。
【００４３】
ｊ）オルガノポリシロキサン油
好ましい実施形態において、疎水性相はシリコーン油相であり、連続シリコーン相はオルガノポリシロキサン油を含有する。そのようなオルガノポリシロキサン油は、揮発性シリコーン、非揮発性シリコーン、または揮発性シリコーンと非揮発性シリコーンの混合物の可能性もある。この文脈で用いられる「非揮発性」という用語は周囲条件で液状であり、引火点が約１００℃以上（１気圧下で）であるシリコーンのことをいう。この文脈で用いられる「揮発性」という用語は他のすべてのシリコーン油を指す。好適なオルガノポリシロキサンは、幅広い揮発性及び粘度を持つ多種多様なシリコーンから選択できる。適したオルガノポリシロキサンオイルの例には、ポリアルキルシロキサン類、環式ポリアルキルシロキサン類、及びポリアルキルアリールシロキサン類が挙げられる。
【００４４】
本明細書の組成物に有用なポリアルキルシロキサン類には、２５℃で粘度が約０．５〜約１，０００，０００センチストークのポリアルキルシロキサン類が挙げられる。かかるポリアルキルシロキサン類は、一般化学式Ｒ3ＳｉＯ［Ｒ2ＳｉＯ］xＳｉＲ3で表され、式中Ｒは１〜約３０個の炭素原子を有するアルキル基（好ましくはＲはメチルまたはエチル、より好ましくはメチル、更に同一分子内に混合したアルキル基を使用し得る）、及びｘは０〜約１０，０００の整数であり、約１０，０００，０００を越えることもあり得る所望の分子量を得るために選択される。市販のポリアルキルシロキサンとしてはジメチコーンとしても知られているポリジメチルシロキサン類が挙げられ、その例としてはゼネラル・エレクトリック社（General Electric Company）より販売されているヴィカシル（Vicasil）（登録商標）シリーズ及びダウ・コーニング・コーポレーション（Dow Corning Corporation）より販売されているダウ・コーニング（登録商標）２００シリーズが挙げられる。好適なポリジメチルシロキサン類の特定の例には、粘度が０．６５センチストークス及び沸点が１００℃のダウ・コーニング（Dow Corning）（登録商標）２００流体、粘度が１０センチストークス及び沸点が２００℃を越えるダウ・コーニング（Dow Corning）（登録商標）２２５流体、及び粘度がそれぞれ５０、３５０、及び１２，５００センチストークスであり、沸点が２００℃を越えるダウ・コーニング（Dow Corning）（登録商標）２００流体類が含まれる。適したジメチコーン類には、化学式が（ＣＨ3）3ＳｉＯ［（ＣＨ3）2ＳｉＯ］x［ＣＨ3ＲＳｉＯ］yＳｉ（ＣＨ3）3で表されるものが挙げられ、式中、Ｒは２〜約３０個の炭素原子を有する直鎖アルキルまたは分岐鎖アルキルであり、ｘ及びｙはそれぞれ１またはそれより大きい整数であり、約１０，０００，０００を越え得る範囲の所望の分子量を得るように選択される。これらのアルキル−置換型ジメチコーン類の例には、セチルジメチコーン及びラウリルジメチコーンが挙げられる。
【００４５】
組成物中での使用に適切な環状ポリアルキルシロキサンには、化学式［ＳｉＲ2−Ｏ］nで表されるものが含まれ、式中、Ｒはアルキル基（好ましくはＲがメチルまたはエチル、より好ましくはメチル）であり、ｎは約３〜約８の整数、より好ましくはｎが約３〜約７の整数で、最も好ましくはｎが約４〜約６の整数である。Ｒがメチルである時、これらの物質は典型的にはシクロメチコーン類という。市販のシクロメチコーン類には、粘度が２．５センチストークで沸点が１７２℃の、主としてシクロメチコーンテトラマー（すなわちｎ＝４）を有するダウ・コーニング（Dow Corning）（登録商標）２４４流体、粘度が２．５センチストークで沸点が１７８℃の、主としてシクロメチコーンペンタマー（すなわちｎ＝５）を有するダウ・コーニング（Dow Corning）（登録商標）３４４流体、粘度が４．２センチストークで沸点が２０５℃の、主としてシクロメチコーンテトラマー及びペンタマー（すなわちｎ＝４及び５）の混合物であるダウ・コーニング（Dow Corning）（登録商標）２４５流体、ならびに粘度が４．５センチストークで沸点が２１７℃の、主としてクロメチコーンテトラマー、ペンタマー、及びヘキサマー（すなわちｎ＝４，５，及び６）であるダウ・コーニング（Dow Corning）（登録商標）３４５流体が含まれる。
【００４６】
一般化学式［（ＣＨ2）3ＳｉＯ1/2］x［ＳｉＯ2］ｙの式中、ｘは約１〜約５００の整数であり、ｙは約１〜約５００の整数である該化学式に相当するポリマー物質であるトリメチルシロキシシリケートのような物質も有用である。市販のトリメチルシロキシシリケートは、ダウ・コーニング（Dow Corning）（登録商標）５９３流体としてジメチコーンとの混合物として販売されている。
【００４７】
ジメチコノール類もまた組成物への使用に適している。このような化合物は化学式Ｒ3ＳｉＯ［Ｒ2ＳｉＯ］xＳｉＲ2ＯＨ及びＨＯＲ2ＳｉＯ［Ｒ2ＳｉＯ］xＳｉＲ2ＯＨで表すことができ、ここでは、Ｒはアルキル基（好ましくはＲはメチルまたはエチル、更に好ましくはメチルである）及びｘは、望ましい分子量を達成するために選択される０〜約５００までの整数である。市販のジメチコノール類は、通常、ジメチコーンまたはシクロメチコーンとの混合物（例えば、ダウ・コーニング（Dow Corning）（登録商標）１４０１、１４０２、及び１４０３流体）として販売されている。
【００４８】
ポリアルキルアリールシロキサン類も組成物で使用するのに適している。２５℃で粘度が約１５〜約６５センチストークのポリメチルフェニルシロキサン類がとりわけ有用である。
【００４９】
本明細書での利用で好ましいものは、ポリアルキルシロキサン、アルキル基で置換したジメチコーン、シクロメチコーン、トリメチルシロキシシリケート、ジメチコノール、ポリアルキルアリールシロキサン、及びそれらの混合物からなる群より選択されるオルガノポリシロキサン類である。本明細書で用いるのにより好ましいのはポリアルキルシロキサン類及びシクロメチコーン類である。ポリアルキルシロキサン類の中で好ましいのはジメチコーン類である。
【００５０】
連続シリコーン相は、１またはそれ以上の非シリコーン油を含有することもできる。ただし、好ましい実施形態において、連続シリコーン相中の非シリコーン油は、油溶性スキンケア活性剤の送達をさらに増進させるように、その濃度が最小限に抑えられるかまたは全く含まれない。シリコーン油と組み合わせて用いるのに好適な非シリコーン油は、融点が約１気圧の下で約２５℃以下である。
【００５１】
ｋ）植物油及び硬化植物油
植物油及び硬化植物油の例としては、ベニバナ油、ヒマシ油、ココヤシ油、綿実油、メンハーデン油、パーム核油、パーム油、ピーナツ油、大豆油、菜種油、アマニ油、米糠油、松根油、ゴマ油、ヒマワリ種子油、硬化ベニバナ油、硬化ヒマシ油、硬化ヤシ油、硬化綿実油、硬化メンハーデン油、硬化パーム核油、硬化パーム油、硬化ピーナツ油、硬化大豆油、硬化菜種油、硬化アマニ油、硬化米糠油、硬化ゴマ油、硬化ヒマワリ種子油、及びこれらの混合物が挙げられる。
【００５２】
ｌ）動物油脂
動物油脂としては、例えばラノリン及びその誘導体並びにタラ肝油が挙げられる。
【００５３】
ｍ）ポリプロピレングリコールのＣ４〜Ｃ２０アルキルエーテル、ポリプロピレングリコールのＣ１〜Ｃ２０カルボン酸エステル、及びジ−Ｃ８〜Ｃ３０アルキルエーテルもまた有用である。このような物質の非限定的な例としては、ＰＰＧ−１４ブチルエーテル、ＰＰＧ−１５ステアリルエーテル、ジオクチルエーテル、ドデシルオクチルエーテル、及びこれらの混合物が挙げられる。
【００５４】
２．（親水性相）
本発明のエマルションは、水及び／またはその他の親水性希釈剤を包含する親水性相も含む。好ましいエマルションは皮膚科学的に許容可能な親水性の希釈剤を含有する。本明細書で使用する「希釈剤」とは、内部に他の任意構成要素を分散、溶解、または別の方法で組み入れることができる物質を包含する。親水性希釈剤の非限定例は、水、低級一価アルコール（例えば、Ｃ１〜Ｃ４）並びに低分子量グリコール及びポリオールのような有機親水性希釈剤、例えば、プロピレングリコール、ポリエチレングリコール（例えば、分子量２００〜６００ｇ／モル）、ポリプロピレングリコール（例えば、分子量４２５〜２０２５ｇ／モル）、グリセロール、ブチレングリコール、１，２，４−ブタントリオール、ソルビトールエステル、１，２，６−ヘキサントリオール、エタノール、イソプロパノール、ブタンジオール、エーテルプロパノール、エトキシ化エーテル、プロポキシ化エーテル及びそれらの混合物である。水は好ましい希釈剤である。
【００５５】
前記組成物は、好ましくは形成された組成物の約１０重量％〜約７５重量％の親水性相を含む。それゆえ、親水性相は水、または水と１以上の水溶性または分散性成分の組み合わせを含むことができる。相の少なくとも３０重量％の水を含む親水性相が好ましい。
【００５６】
３．（乳化剤）
本発明の油中水型エマルションは、好ましくは水性相を分散するための乳化剤を含む。好ましい実施形態では、本組成物は、生成される組成物の約０．１重量％〜約１０重量％、より好ましくは約０．５重量％〜約７．５重量％、最も好ましくは約１重量％〜約５重量％の乳化剤を含む。乳化剤は、連続的な油相に水性相を分散及び懸濁することを補助する。
【００５７】
油中水型エマルションを形成するために、本明細書では多種多様な乳化剤を使用できる。選択された乳化剤が物理的、化学的に組成物の必須成分に適合し、望ましい分散特性を提供するという条件で、既知のまたは従来の乳化剤を組成物に使用できる。適した乳化剤には、局所用身体ケア製品の利用分野の当業者には既知である、シリコーン乳化剤、非シリコーン含有乳化剤、及びそれらの混合物が挙げられる。好ましくは、これらの乳化剤は約６未満のＨＬＢ値を有する。６より大きいＨＬＢ値を有する乳化剤は、これらの範囲内に収まる有効な加重平均ＨＬＢ値を得るように、その他の乳化剤と組み合わせて使用することができる。
【００５８】
乳化型シリコーンエラストマーは、本明細書での使用に好ましく、それについては既に詳細に説明した。その他のシリコーン乳化剤も好ましい。乳化型シリコーンエラストマーとシリコーン乳化剤の組み合わせも、本明細書で有用である。
多種多様なシリコーン乳化剤が、本明細書で有用である。これらのシリコーン乳化剤は、通常、有機的に変性したオルガノポリシロキサン類であり、当該技術分野ではシリコーン界面活性剤としても知られている。有用なシリコーン乳化剤としては、ジメチコーンコポリオール類が挙げられる。これらの材料は、エチレンオキシド及びプロピレンオキシドの両方に由来する部を含有する、ポリエチレンオキシド鎖、ポリプロピレンオキシド鎖、これら鎖の混合物、及びポリエーテル鎖など、ポリエーテル側鎖を含むように変性されたポリジメチルシロキサン類である。その他の例には、アルキル変性ジメチコーンコポリオール類、即ち、Ｃ２〜Ｃ３０ペンダント側鎖を含有する化合物が挙げられる。更に他の有用なジメチコーンコポリオール類としては、様々な陽イオン性、陰イオン性、両性、及び双極性のペンダント部を有する材料が挙げられる。
【００５９】
本明細書において有用なジメチコーンコポリオール乳化剤は、次の一般構造で記載することができる：
【００６０】
【化１】
2004531319.tif 000003
ここでＲは、Ｃ１〜Ｃ３０の直鎖、分枝鎖または環式アルキル基であり、Ｒ2は、
−（ＣＨ2）n−Ｏ−（ＣＨ2ＣＨＲ3Ｏ）m−Ｈ、
及び
−（ＣＨ2）n−Ｏ−（ＣＨ2ＣＨＲ3Ｏ）m−（ＣＨ2ＣＨＲ4Ｏ）o−Ｈ、
からなる群より選択され、式中、ｎは、３から約１０の整数であり；Ｒ3及びＲ4は、Ｒ3及びＲ4が、同時に同じものとならないようにＨ及びＣ１〜Ｃ６直鎖または分枝鎖アルキル基からなる群より選択される；及びｍ、ｏ、ｘ、及びｙは、全体の分子量が分子量約２００から約１０，０００，０００になるように選択され、ｍ、ｏ、ｘ、及びｙは、ｍ及びｏが同時にゼロにならないように、ｚは独立して１以上の整数になるように、ゼロ以上の整数より選択される。このようなコポリオール類の位置異性体が生成し得ることが認識される。Ｒ3及びＲ4基を含有するＲ2部について上述の化学的な代表例を便宜上示したものでこれらに限定するものではない。
【００６１】
ここで有用なものはまた、厳密にはジメチコーンコポリオールとしては分類されないが、前の段落で示した構造のようなシリコーン界面活性剤であり、Ｒ2は：
−（ＣＨ2）n−Ｏ−Ｒ5
であり、Ｒ5は、陽イオン、陰イオン、両性イオンまたは双極性イオン部である。
【００６２】
本明細書で乳化剤として有用なジメチコーンコポリオール及びその他のシリコーン界面活性剤の非限定的な例には、ペンダントポリエチレンオキシド側鎖を伴ったポリジメチルシロキサンポリエーテルコポリマー、ペンダントポリプロピレンオキシド側鎖を伴ったポリジメチルシロキサンポリエーテルコポリマー、ペンダント混合物ポリエチレンオキシド及びポリプロピレンオキシド側鎖を伴ったポリジメチルシロキサンポリエーテルコポリマー、ペンダント混合物ポリ（エチレン）（プロピレン）オキシド側鎖を伴ったポリジメチルシロキサンポリエーテルコポリマー、ペンダントオルガノベタイン側鎖を伴ったポリジメチルシロキサンポリエーテルコポリマー、ペンダントカルボキシレート側鎖を伴ったポリジメチルシロキサンポリエーテルコポリマー、ペンダント四級アンモニウム側鎖を伴ったポリジメチルシロキサンポリエーテルコポリマー；及びペンダントＣ２〜Ｃ３０直鎖、分枝鎖、または環式アルキル部を含有する前述のコポリマーをさらに変性したものもある。ダウ・コーニング社（Dow Corning Corporation）から販売される、本明細書で有用な市販のジメチコーンコポリオールの例は、ダウ・コーニング（Dow Corning）（登録商標）１９０、１９３、Ｑ２−５２２０、２５０１ワックス、２−５３２４流体、及び３２２５Ｃ（この後者の材料は、シクロメチコーンとの混合物として販売される）である。セチルジメチコーンコポリオールは、ポリグリセリル−４−イソステアレート（及び）ヘキシルラウレートとの混合物として市販されており、商品名エイビル（ABIL）（登録商標）ＷＥ−０９（ゴールドシュミット（Goldschmidt）から入手可能）で販売されている。セチルジメチコーンコポリオールは、ヘキシルラウレート（及び）ポリグリセリル−３オレエート（及び）セチルジメチコーンとの混合物としても市販されており、商品名エイビル（ABIL）（登録商標）ＷＳ−０８（ゴールドシュミット（Goldschmidt）から市販）で販売されている。ジメチコーンコポリオールの非限定的なその他の例には、ラウリルジメチコーンコポリオール、ジメチコーンコポリオールアセテート、ジエメチコーンコポリオールアジパート、ジメチコーンコポリオールアミン、ジメチコーンコポリオールベヘネート、ジメチコーンコポリオールブチルエーテル、ジメチコーンコポリオールヒドロキシステアレート、ジメチコーンコポリオールイソステアレート、ジメチコーンコポリオールラウレート、ジメチコーンコポリオールメチルエーテル、ジメチコーンコポリオールホスフェート、及びジメチコーンコポリオールステアレートも含まれる。国際化粧品成分事典（International Cosmetic Ingredient Dictionary）、第５版、１９９３年を参照のこと。
【００６３】
本発明に有用な非シリコーン含有乳化剤の非限定例としては、糖エステル及びポリエステル、アルコキシル化糖エステル及びポリエステル、Ｃ１〜Ｃ３０脂肪族アルコールのＣ１〜Ｃ３０脂肪酸エステル、Ｃ１〜Ｃ３０脂肪族アルコールのＣ１〜Ｃ３０脂肪酸エステルのアルコキシ化誘導体、Ｃ１〜Ｃ３０脂肪族アルコールのアルコキシル化エーテル、Ｃ１〜Ｃ３０脂肪酸のポリグリセリルエステル、ポリオールのＣ１〜Ｃ３０エステル、ポリオールのＣ１〜Ｃ３０エーテル、アルキルホスフェート、ポリオキシアルキレン脂肪族エーテルホスフェート、脂肪酸アミド、アシルラクチレート、石鹸、及びそれらの混合物のような様々な非イオン性及び陰イオン性乳化剤が挙げられる。
【００６４】
本明細書での使用に適切な非シリコーン含有乳化剤の非限定的な例としては、ポリエチレングリコール２０ソルビタンモノラウレート（ポリソルベート２０）、ポリエチレングリコール５大豆ステロール、ステアレス−２０、セテアレス−２０、ＰＰＧ−２メチルグルコースエーテルジステアレート、セテス−１０、ポリソルベート８０、セチルホスフェート、カリウムセチルホスフェート、ジエタノールアミンセチルホスフェート、ポリソルベート６０、グリセリルステアレート、ＰＥＧ−１００ステアレート、ポリオキシエチレン２０ソルビタントリオレエート（ポリソルベート８５）、ソルビタンモノラウレート、ポリオキシエチレン４ラウリルエーテルステアリン酸ナトリウム、ポリグリセリル−４イソステアレート、ヘキシルラウレート、ステアレス−２０、セテアレス−２０、ＰＰＧ−２メチルグルコースエーテルジステアレート、セテス−１０、ジエタノールアミンセチルホスフェート、グリセリルステアレート、ＰＥＧ−１００ステアレート、及びこれらの混合物が挙げられる。
【００６５】
ＩＩ．ディスペンサー
本発明のスキンケアキットは、上述のスキンケア組成物のためのポンプディスペンサーのような分配容器を具備する。本明細書で有用なポンプディスペンサーの非限定的な例には、ディップチューブポンプ及び容積流量式ポンプが挙げられる。該分配容器は、消費者がある量の製品を皮膚の広い表面積に広げるために使用する予め定められた量を分配することができる。これらの分配容器は、既に述べられたスキンケアの利益を増進して提供するために適切な量の組成物の分配に必要である。
【００６６】
ディップチューブポンプとしては、ドイツ、プルハイムのＲＰＣ−ブラムレージ−ウィコ（RPC-Bramlage-Wiko）から入手できるサイドアクチュエータ「アクエリアス」（Aquarius）ポンプを挙げることができる。利用可能な容積流量式ポンプのうち、「マジックＣ」（Magic C）ポンプもＲＰＣ−ブラムレージ−ウィコ（RPC-Bramlage-Wiko）から入手できる。いずれの場合も、製品は容器の分配面または上面を通じて上方へ分配される。マジックＣ（Magic C）の場合、上部バルブがアクチュエータの分配面または上面と同レベルで密閉機能する。
【００６７】
ディスペンサーは、分配されるスキンケア組成物の供給物を保管するための容器を具備し、前記容器は約１オンスまたは３０ｍｌ〜約４オンスまたは１２０ｍｌを収容する。容器の寸法は、好ましくは約４ｃｍ×約２．５ｃｍ〜約２０ｃｍ×約７ｃｍである。好ましい容器の寸法は、約９．０ｃｍ×約４．５ｃｍ（高さ×幅）である。
【００６８】
このディスペンサーは、作動装置のキャップを有する容器に固定して接続された手動ポンプを備えることも可能である。本明細書で使用する「固定して」とは、ディスペンサーを破壊することなく容器からポンプを容易に取り外すことができないことを意味する。
【００６９】
容器は、多種多様な形に成形することができ、実質的に円筒形、卵形、楕円形、方形、三角形、及びそれらの組み合わせが挙げられるがこれらに限定されない。円筒形の実施形態を本明細書に含まれる図に示す。
【００７０】
図１に示すのは、本スキンケア組成物のためのディスペンサーの主要構成要素を示す本発明の第一の好ましい実施形態であり、容器１０９、そこから延長するヘッドピース１１２、作動面１０４を覆うためのクロージャーキャップ１０３、及び容器１０９内での変位のために摺動可能に取り付けられた従動ピストン１１０を包含する。ディスペンサーの主な構成要素は射出成形可能なプラスチック、好ましくはポリエチレン、ポリプロピレン、またはポリエチレンテレフタレートで出来ているため、ディスペンサーは軽量構造であり、及びディスペンサーの容器１０９に充填された本スキンケア組成物はディスペンサーの材料からの影響を受けない。周囲の大気圧が容器１０９の表面上に作用することにより、容器１０９の内部壁面に沿って従動ピストン１１０が変位することで、スキンケア組成物は容器１０９内で前進し、その結果従動ピストン１１０は毎使用時に容器１０９内を上昇する。この方法で、容器１０９内のスキンケア組成物の量が使用の都度減少するにつれて、従動ピストン１１０が製品を上昇させ、該製品がヘッドピース１１２に組み入れられている分配機構と接触し続けるようにする。ヘッドピース１１２の保持リング１０６は、容器１０９の周壁の内部へ放射状に傾斜し、それによってスクリューキャップ１０３の座を形成し、該キャップが周壁面と調心して容器１０９の上に設置されるようにし、その結果ディスペンサーは全体として平滑な外形を有する。
【００７１】
保持リング１０６は、スクリューキャップ１０３の外壁内側のねじ山と嵌合するねじ山１１１を包含する上壁と共に形成される。さらに、保持リング１０６及びスクリューキャップ１０３は、スクリューキャップ１０３及び容器１０９がその周壁表面と、間に隙間なく調心されて一体化されるように設計される。
【００７２】
保持リング１０６と共に一体化して形成され、及びそこから軸方向に延長するのは、外スリーブ１１３及び内スリーブ１１４である。消費者の使用中に作動面１０４の下方移動のための十分なクリアランスを提供するため、外スリーブ１１３の外径は、作動装置表面１０４の外径よりも小さい。外スリーブ１１３内に内スリーブ１１４によって画定される環状空間１１５は、圧力ばね１０１の位置決め機構として機能する。内スリーブ１１４内に同軸で配置されているのは、バルブリング１０７である。このバルブリング１０７は保持リング１０６の下壁の開口部内のはめ合いであり、逆止め弁として機能する。保持リング１０６内に設置されているバルブリング１０７は、ディスペンサーシステム内での製品の逆流（ポンプチャンバー１１６から容器１０９へ）を防止し、一方で反対方向への流れ（容器１０９からポンプチャンバー１１６へ）を許容する。
【００７３】
バルブピストン１０８は、バルブリング１０７の開口部の内径と密封して及び摺動可能に嵌合する。バルブピストン１０８に固定して取り付けられている、または思考上一体化されるのはバルブピン１０２である。バルブピストン１０８／バルブピン１０２アセンブリは、作動面１０４の分配面で上部バルブ／分配オリフィス１１７を制御するユニットとして操作する。ユーザーが作動面１０４を押し下げると、圧力ピストン１０５がポンプチャンバー１１６の容積を減少し、ポンプチャンバー１１６内の内圧を高める。この内圧がバルブピストン１０８／バルブピン１０２アセンブリを下方向に押し、上部バルブ／分配オリフィス１１７を開放して、必ずしもそうではないが一般的には作動面１０４の中心で、製品がポンプチャンバーから出て上部バルブ／分配オリフィス１１７を通って流れることを可能にする。
【００７４】
バルブピン１０２と一体化しているのは、バルブピン１０２／バルブピストン１０８アセンブリを上方静止位置に保持するための偏倚を設け、それによって上部バルブ／分配オリフィス１１７を密閉する可撓性構造である。バルブピン１０２の一体型可撓性構造物は、圧力ピストン１０５に同軸となるよう固定して組立てられている外部リングを包含する。圧力ピストン１０５は作動面１０４に、そのいずれもが摺動可能に保持リング１０６と嵌合するよう、スナップ嵌めで固定して接続される。作動面１０４は、一般に上壁及び環状の外壁を具備するカップ形の構成である。上壁と外壁の両方によって画定される空間内で、作動面１０４は、下方向に固定されて圧力ピストン１０５と嵌合する上壁から軸方向に延長する管状部を具備する。図５に示す別の実施形態においては、前記管状部が作動面５０４の中心から外れて配置された分配オリフィス５１７から角度をつけて下方に延長する。
【００７５】
圧力ピストン１０５が内スリーブ１１４の内壁面と密封して摺動可能に嵌合する結果、圧力ピストン１０５の底部とバルブリング１０７及びバルブピストン１０８との間にポンプチャンバー１１６が形成され、ポンプチャンバー１１６の容積は作動面１０４及びそれによる圧力ピストン１０５の軸方向の変位に応じて変動する。圧力ピストン１０５の底部は、製品が上部バルブ／分配オリフィス１１７まで通過できる開口部とともに形成される。
【００７６】
内スリーブ１１４と外スリーブ１１３との間の環状空間に配置されているのは、作動面１０４の戻りばねとして作用し、及び保持リング１０６の底壁と作動面１０４の上壁との間で圧縮される圧力ばね１０１であり、それゆえ作動力がない場合、作動面１０４は図１に示す上方位置に維持される。
【００７７】
作動面１０４の上面は、ディスペンサー１０１から分配オリフィス１１７を通じてスキンケア組成物を分配するための軸方向下向きの作動力を付与するための作動面を形成する。
【００７８】
上述のディスペンサーは次のように操作する：作動面１０４の最初の作動時には、容器１０９のみにスキンケア組成物が充満していると想定され、それゆえ作動面１０４を軸方向に押し下げることで、最初はポンプチャンバー１１６の容積を減少する圧力ピストン１０５の「デッド」ストロークが生じる。ポンプチャンバー１１６内の圧力は結果として上昇し、バルブピストン１０８／バルブピン１０２アセンブリが下方に移動することによって、上部バルブ１１７が開放され、ポンプチャンバー１１６から分配オリフィス１１７を通じて空気が排出される。続いて作動面１０４上に作用する作動力が解放されると、圧力ばね１０１が作用して作動面１０４が上方の開始位置に戻り、それによってポンプチャンバー１１６の容積が再度増大する。その結果生じるポンプチャンバー１１６内の真空及びバルブピン１０２の可撓性支持構造物のたわみにおけるばね力により、バルブピン１０２及びバルブピストン１０８が分配オリフィス１１７を閉塞する静止位置に戻る。ポンプチャンバー１１６内の同じ真空圧は、バルブリング１０７の外部シールリングを保持リング１０６の合わせ面から持ち上げ、ポンプチャンバー１１６と容器１０９の内部との間に圧力平衡が確立されるまでスキンケア組成物が容器１０９からポンプチャンバー１１６へ流れることができる通路を開ける。その後すぐに、バルブリング１０７のシールリングが再び閉鎖する。作動面１０４を新たに押し下げると、一方ではバルブリング１０７に作用する圧力が増大し、それによってポンプチャンバー１１６と容器１０９の内部との間の連絡を完全に中断し、他方ではバルブピストン１０８及びバルブリング１０２が下方向に押され、その結果スキンケア組成物が上部バルブ／分配オリフィス１１７を通じて放出される。
【００７９】
従って、分配されるスキンケア組成物の量は、上部バルブ／分配オリフィス１１７を通じてポンプチャンバー１１６から製品を放出するピストンのストロークの長さによって決定される。作動面１０４に作用する圧力が再度解放されると、圧力ばね１０１が再度作用して作動面１０４をその静止位置に戻し、その結果生じるポンプチャンバー１１６内の真空がバルブピストン１０８及びバルブリング１０２をその静止位置まで上方移動させ、上部バルブ／分配オリフィス１１７を閉鎖する。同時に、ポンプチャンバー１１６内で発生する真空は、製品供給物とポンプチャンバー１１６との間のバルブリング１０８のシールリングを開放し、その結果スキンケア組成物が容器１０９の内部からポンプチャンバー１１６へ後者に再び製品が充満するまで流れ、その後圧力平衡が確立されることによってバルブリング１０８のシールリングは保持リング１０６の底壁上の閉鎖位置に戻る。
【００８０】
同様に、ディスペンサーの最初の作動前にポンプチャンバー１１６にスキンケア組成物が充満し、その結果作動面１０４を最初に押し下げた時にスキンケア組成物がディスペンサーから分配されることも当然起こる可能性がある。
【００８１】
あるいは、ディスペンサーは、作動装置のキャップを有する人間工学に基づいた容器に固定されて接続した手動ポンプを含み、それによりディスペンサーはポンプが容器に対応し、ヒトの手に快適で容易な握りである容器を提供するように形付けられ、さらに構成される。手は容器の形状に快適に適合すべきであり、作動装置は実質的に親指または人差し指の先の動きのみによって押し下げることができる。
【００８２】
図２に示すのは、本スキンケア組成物のためのディスペンサーの主要構成要素を示す本発明の第二の好ましい実施形態であり、容器２０９、そこから延長するヘッドピース２１２、作動装置表面２０４を覆うためのクロージャーキャップ２０３、及び容器２０９内での変位のために摺動可能に取り付けられた従動ピストン２１０を包含する。ディスペンサーの主要構成部品は射出成形可能なプラスチック、好ましくはポリエチレン、ポリプロピレン、またはポリエチレンテレフタレートで出来ているため、図２のディスペンサーは軽量構造であり、ディスペンサーの容器２０９に充填された本スキンケア組成物は、ディスペンサーの材料による影響を受けない。周囲の大気圧が容器２０９の上に作用することにより、ピストン２１０が容器２０９の内部壁面に沿って従動変位する容器２０９内でスキンケア組成物は前進し、その結果従動ピストン２１０は毎使用時に容器２０９内を上昇する。この方法で、容器２０９内のスキンケア組成物の量が使用の都度減少するにつれて、従動ピストン２１０が製品を上昇させ、該製品がヘッドピース２１２に組み入れられている分配機構と接触し続けるようにする。
【００８３】
ヘッドピース２１２の保持リング２０６は、容器２０９の周壁の内部へ放射状に伸び、それによってキャップ２０２の座を形成し、該キャップが周壁面と調心して保持リング２０６の上に設置されるようにし、その結果ディスペンサーは全体として平滑な外形を有する。
【００８４】
保持リング２０６は、キャップ２０３の内部スナップヘッドと嵌合するスナップヘッド２１１を包含する上壁とともに形成される。さらに、保持リング２０６及びキャップ２０３は、キャップ２０３、保持リング２０６、及び容器２０９が、間に隙間なく調心されて、それらの周壁表面と一体化されるように設計される。
【００８５】
保持リング２０６と共に一体化して形成され、そこから軸方向に延長するのは、外スリーブ２１３及び内スリーブ２１４である。消費者の使用中に、作動装置表面の下方移動のための十分なクリアランスを提供するため、外スリーブ２１３の外径は、作動面２０４の外径よりも小さい。外スリーブ２１３内で内スリーブ２１４によって画定される環状空間２１５及びばねハウジング２１９５は、圧力ばね２０１の位置決め機構として機能する。内スリーブ２１４内に同軸で配置されているのは、バルブ２０７である。このバルブ２０７は、保持リング２０６の下壁にバルブプラグ２２０によって固定され、逆止め弁として機能する。バルブ２０７は、ディスペンサーシステム内での製品の逆流（ポンプチャンバー２１６から容器２０９へ）を防止し、一方で反対方向への流れ（容器２０９からポンプチャンバー２１６へ）を許容する。
【００８６】
圧力ピストン２０５は、スリーブ２１４の内径と密封して摺動可能に嵌合する。圧力ピストン２０５は、スリーブ２１３と摺動可能に嵌合するばねハウジング２１９に固定して取り付けられるか、おそらくは一体化される。圧力ピストン２０５／ばねハウジング２１９アセンブリは、上部バルブ２１８を制御するユニットとして操作する。上部バルブ２１８は、ばねハウジング２１９と一体化するかまたは分離した垂直突起物によって圧力ピストン２０５の上壁に固定される。作動面２０４はばねハウジング２１９に、その双方が保持リング２０６に摺動可能に嵌合し、上部バルブ２１８からオリフィス２１７へ製品が流れる管状経路を提供するように固定して取り付けられるか、おそらくは一体化される。
【００８７】
ユーザーが作動面２０４を押し下げると、圧力ピストン２０５がポンプチャンバー２１６の容積を減少し、ポンプチャンバー２１６内の内圧を高める。この内圧が圧力ピストン２０５／スプリングハウジング２１９アセンブリを下方向に押し、上部バルブ２１８を開放して、必ずしもそうではないが一般的には作動面２０４の中心で、製品がポンプチャンバーから出て上部バルブ２１８を通ってオリフィス２１７へ流れることを可能にする。作動面２０４は、一般に上壁及び環状の外壁を備えるカップ形の構成である。上壁と外壁によって画定される空間内で、作動面２０４は、下方向に固定されてばねハウジング２１９と嵌合する上壁から軸方向に延長する環状部により提供される。前記作動面２０４は、円形の平面的詳細形状（round planar circumstantial shape）を有することができるが、保持リング２０６及びばねハウジング２１９が選択された作動装置表面２０４形状に適応する楕円平面のようなその他の形状を除外しない。前記作動面２０４の別の実施形態は、鞍形のもので、前記作動面２０４の直径を横断する浅い、均一に先細になった「Ｕ」字形の窪みである。
【００８８】
外スリーブ２１３は内スリーブ２１４とともに、ディスペンサーの分配機構として同時に作用する作動面２０４及び圧力ピストン２０５のためのガイド及び保持手段を形成する。圧力ピストン２０５が内スリーブ２１４の内壁面と密封して摺動可能に嵌合する結果、圧力ピストン２０５の底部とバルブ２０７及び保持リング２０６との間にポンプチャンバー２１６が形成され、ポンプチャンバー２１６の容積は作動面２０４及びそれによる圧力ピストン２０５の軸方向の変位に応じて変動することができる。圧力ピストン２０５の底部は、管状部を通って分配オリフィス２１７から出る、上部バルブ２１８までの製品の通過を可能にする開口部とともに形成される。図５に示す別の実施形態においては、管状部が作動面５０４の中心から外れて位置する分配オリフィス５１７から角度をつけて下方に延長する。図３及び図４の別の実施形態では、それぞれ複数の分配オリフィス３１７及び４１７が提供される。図３は、作動面３０４により組成物の分配中に製品がリザーバ３２０から複数の分配オリフィス３１７を通じて分配される場合を示す。図３は、ばねハウジング３１９からの経路上または経路内の共通点で接続する作動装置構造物内の別々に成形された経路の単純化した型を示す。これらの経路は、上面のみで一体化することができ、または作動面３０４から接続点まで延長することもできる。図４は、製品がばねハウジング４１９からの通路を出た時に製品を収集するための分離リザーバ４２０を有し、圧力が高まった時に「リザーバ」形状内に収容される複数の分配オリフィス４１７を通じて製品を放出することができるアセンブリを示す。
【００８９】
内スリーブ２１４と外スリーブ２１３との間の環状空間に配置されているのは、作動面２０４の戻りばねとして作用し、及び保持リング２０６の底壁とばねハウジング２１９の底壁との間で圧縮される圧力ばね２０１であり、それゆえ作動力がない場合、作動面２０４は図２に示す上方位置に維持される。
【００９０】
作動面２０４の上面は、軸方向下向きの力を付けると同時にディスペンサー２０２から分配オリフィス２１７を通じてスキンケア組成物を分配するための作動力を生じる作動装置を形成する。
【００９１】
上述の図２のディスペンサーは次のように操作する：ディスペンサーの最初の作動時には、容器２０９のみにスキンケア組成物が充満していると想定され、それゆえ作動面２０４を軸方向に押し下げることで、最初はポンプチャンバー２１６の容積を減少する圧力ピストン２０５の「デッド」ストロークが生じる。ポンプチャンバー２１６内の圧力は結果として上昇し、上部バルブ２１８が開放されて空気がポンプチャンバー２１６から分配オリフィス２１７を通じて排出される。続いて作動面２０４上に作用する作動力が解放されると、圧力ばね２０１が作用して作動面２０４が上方の開始位置に戻り、それによってポンプチャンバー２１６の容積が再度増大する。同様に、ディスペンサー２０２の最初の作動前にポンプチャンバー２１６にスキンケア組成物が充満し、その結果作動面２０４を最初に押し下げた時にスキンケア組成物がディスペンサーから分配されることも当然起こる可能性がある。
【００９２】
作動装置表面を押し下げた後にポンプチャンバー２１６内で発生する真空により、上部バルブ２１８は圧力ピストン２０５の上部に対して閉鎖する。ポンプチャンバー２１６内の同じ真空圧は、バルブ２０７を保持リング２０６の合わせ面から持ち上げ、作動面２０４がその最上位置に到達するまでスキンケア組成物が容器２０９からポンプチャンバー２１６へ流れることができる通路を開ける。その後すぐにバルブ２０７が再び閉鎖する。
【００９３】
作動面２０４上に作用する圧力が再度解放されると、圧力ばね２０１が再度作用して前記作動面２０４がその静止位置に戻り、その結果生じる前記ポンプチャンバー２１６内の真空がバルブ２１８を閉鎖する。同時に、ポンプチャンバー２１６内に発生した真空は、製品供給物とポンプチャンバー２１６との間のバルブ２１７を開放し、スキンケア組成物が前記２０９の内部からポンプチャンバー２１６へ、後者に製品が再度充満するまで流れる。
【００９４】
このように、分配されるスキンケア組成物の実際の量は、ユーザーが作動面２０４を作動する程度によって決定されるが、パッケージから放出される組成物の最大量はポンプのピストンのストロークの長さに依存する。本発明のパッケージにおいて、最大量の組成物は作動面２０４を完全に押し下げることによって放出され、その際ポンプチャンバー２１６から分配オリフィス２１７を通る製品は約０．７５ｍｌ〜約１．２５ｍｌである。作動面２０４上に作用する圧力が再度解放されると、圧力ばね２０１が再度作用して作動面２０４がその静止位置に戻り、その結果生じるポンプチャンバー２１６内の真空が上部バルブ２１８を閉鎖する。同時に、ポンプチャンバー２１６内に発生した真空は、製品供給物とポンプチャンバー２１６との間のバルブ２０７を開放し、その結果スキンケア組成物が容器内部から流れる。
【００９５】
（任意成分）
本発明の組成物は、１またはそれ以上の任意成分を含有することも可能である。本明細書に用いるのに好適な組成物としては、１またはそれ以上のスキンケア活性剤が挙げられる。このようなスキンケア活性剤は、実質的には純粋な物質として、または天然（例えば、植物）原料から適した物理的及び／または化学的分離によって得られる抽出物として包含することもできる。
【００９６】
好ましい実施形態において、組成物がヒトのケラチン組織に接触する場合には、追加の構成要素はケラチン組織へ付けるのに好適であるべきであり、すなわち、追加の構成要素は前記組成物中に組み入れたときに、正しい医学的判断の範囲内で、過度の毒性、不和合性、不安定性、アレルギー反応などを示すことなく、ヒトのケラチン組織に接触して使用するのに好適である。「ＣＴＦＡ化粧品成分ハンドブック（CTFA Cosmetic Ingredient Handbook）」、第２版（１９９２年）には、スキンケア業界で通常使用される多種多様な化粧品及び医薬品の成分が記載されており、それらは本発明の組成物への使用に適している。これらの成分の分類の例としては、研磨剤、吸収剤、香料、顔料、着色料／着色剤、芳香油、皮膚感覚剤、収れん剤などの美観的成分（例えば、丁子油、メンソール、カンファー、ユーカリ油、オイゲノール、メンチルラクテート、ウィッチヘーゼル蒸留物）、抗ニキビ剤、抗凝固剤、消泡剤、抗菌剤（例えば、ヨードプロピルブチルカーバメート）、酸化防止剤、結合剤、生物学的添加物、緩衝剤、充填剤、キレート剤、化学添加物、着色剤、化粧用収れん剤、化粧用殺生物剤、変性剤、薬剤収れん剤、外用鎮痛剤、被膜形成剤または被膜形成材料、例として組成物の被膜形成特性及び実質性を補助するポリマー（例、エイコセンとビニルピロリドンのコポリマー）、不透明化剤、ｐＨ調節剤、噴射、還元剤、金属イオン封鎖剤、皮膚漂白剤及び美白剤（例、ヒドロキノン、コウジ酸、アスコルビン酸、マグネシウムアスコルビルホスフェート、アスコルビルグルコシド、アスコルビルグルコサミン、ピリドキシン）、皮膚コンディショニング剤（例、種々及び閉鎖性のものを含む湿潤剤）、皮膚鎮痛剤及び／または治療剤（例、パンテノール及び誘導体（例えば、エチルパンテノール）、アロエベラ、パントテン酸及びその誘導体、アラントイン、ビサボロール、及びグリチルリチン酸二カリウム）、皮膚治療剤（例、ビタミンＤ化合物、モノ−、ジ−、及びトリ−テルペノイド、βイオノール、セドロール）、増粘剤、ならびにビタミン及びその誘導体が挙げられる。
【００９７】
しかしながら、本発明のいかなる実施形態においても、本発明における有用な構成成分は、それらが提供する利益または前提とされるそれらの作用様式によって分類することができる。しかしながら、本明細書において有用な構成成分は場合によっては複数の利益を与え、または複数の作用様式を介して機能することが理解されるであろう。したがって、本明細書での分類は、便宜上のことであって、成分を特定の付与または列記する付与に限定しようとするものではない。
利用可能、
（フィトステロール）
フィトステロール及びその誘導体は、美白利益をもたらすことで知られている。油溶性フィトステロール誘導体の非限定的な例としては、β−シトステロール、カンペステロール、ブラジカステロール、ルペノール（lupenol）、α−スピナステロール、スチグマステロール、それらの誘導体、及びそれらの組み合わせが挙げられる。より好ましくは、フィトステロール誘導体が、β−シトステロール、カンペステロール、ブラジカステロール、スチグマステロール、それらの誘導体、及びそれらの組み合わせから成る群から選択される。
【００９８】
フィトステロールは、通常植物油及び植物性脂肪の不けん化部に見出され、遊離ステロール、アセチル化誘導体、ステロールエステル、エトキシ化またはグリコシド誘導体として入手可能である。更に好ましくは、前記フィトステロールは遊離ステロールを含まない。本明細書で使用する時、「フィトステロール」には、その異性体及び互変異性体が含まれ、アルドリッチ・ケミカル社（Aldrich Chemical Company）（米国ウィスコンシン州ミルウォーキー（Milwaukee））、シグマ・ケミカル社（Sigma Chemical Company）（米国ミズーリ州セントルイス（St. Louis)）、及びドラゴコ（Dragoco）（米国ニュージャージー州トトワ（Totowa））から市販されている。
【００９９】
（剥離活性物質）
本発明の組成物には、安全且つ有効な量の剥離活性剤を、組成物の好ましくは約０．１重量％〜約１０重量％、より好ましくは約０．２重量％〜約５重量％、いっそうより好ましくは約０．５重量％〜約４重量％加えることもできる。剥離活性剤は、本発明の皮膚の外観利益を高める。例えば、剥離活性剤は皮膚の肌目（例えば、滑らかさ）を改善する傾向がある。本明細書での使用に適した剥離システムはメルカプト化合物及び双極性界面活性剤を含有し、参考として本明細書に組み込まれたビセット（Bissett）への米国特許第５，６８１，８５２号に記載されている。本明細書での使用に適した他の剥離システムはサリチル酸及び双極イオン性界面活性剤を含有し、参考として本明細書に組み込まれたビセット（Bissett）による米国特許第５，６５２，２２８号に記載されている。これらの出願に記載されるような双極性界面活性剤もまた本明細書の剥離活性剤として有用であり、セチルベタインと共に使用すると特に好ましい。
【０１００】
（抗ニキビ活性剤）
本発明の組成物は、安全且つ有効な量の、好ましくは約０．０１％〜約５０％、より好ましくは約１％〜約２０％の１以上の抗ニキビ活性剤を含有することもできる。有用な抗ニキビ活性剤の例には、レゾルシノール、イオウ、サリチル酸、過酸化ベンゾイル、エリスロマイシン、亜鉛などが挙げられる。好適な抗ニキビ活性剤のさらなる例は、１９９７年３月４日、マッカティー（McAtee）らに発行された米国特許第５，６０７，９８０号にさらに詳細に記載されている。
【０１０１】
（抗しわ剤／抗皮膚萎縮剤）
本発明の組成物は、安全且つ有効な量の１種またはそれ以上の抗しわ活性剤及び抗皮膚萎縮剤を含むことも可能である。本発明の組成物中での使用に適した抗しわ剤／抗皮膚萎縮剤の代表的な例としては、ヒドロキシ酸（例、乳酸及びグリコール酸などのα−ヒドロキシ酸、またはサリチル酸及びサリチル酸誘導体（例えばオクタノイル誘導体）のようなβヒドロキシ酸）、フィチン酸、リポ酸；本発明の角質組織の外観利益、特に角質組織状態、例えば皮膚状態の調節を増進させるリソフォスファチド酸、皮膚剥離剤（例えばフェノールなど）、ビタミンＢ3化合物及びレチノイドが挙げられる。
【０１０２】
ａ）ビタミンＢ3化合物
本発明の組成物は安全且つ有効な量のビタミンＢ3化合物を含有することも可能である。本発明の組成物中にビタミンＢ3化合物が存在する時には、組成物は好ましくはその約０．０１重量％〜約５０重量％、より好ましくは約０．１重量％〜約１０重量％、さらにより好ましくは約１重量％〜約５重量％、さらにより好ましくは約２重量％〜約５重量％のビタミンＢ3化合物を含む。
【０１０３】
本明細書で使用する、「ビタミンＢ3化合物」とは以下の構造式、
【０１０４】
【化２】
2004531319.tif 000004
を有し、式中、Ｒは−ＣＯＮＨ2（即ち、ナイアシンアミド）、−ＣＯＯＨ（即ち、ニコチン酸）、または−ＣＨ2ＯＨ（即ち、ニコチニルアルコール）である化合物、これらの誘導体、及びこれらの任意の塩を意味する。
【０１０５】
前述のビタミンＢ3化合物の代表的な誘導体には、非血管拡張性のニコチン酸のエステル（例えば、トコフェリルニコチネート及びナイアシンアミド）、ニコチニルアミノ酸、カルボン酸のニコチニルアルコールエステル、ニコチン酸−Ｎ−オキシド、及びナイアシンアミド−Ｎ−オキシドを含めたニコチン酸エステルが挙げられる。
【０１０６】
ｂ）レチノイド
本発明の組成物は安全且つ有効な量のレチノイドを含有することも可能である。本発明で使用する「レチノイド」には、皮膚内でビタミンＡの生物学的活性を有するビタミンＡまたはレチノール様化合物のすべての天然及び／または合成類縁体、並びにこれらの化合物の幾何異性体及び立体異性体が包含される。レチノイドは、好ましくはレチノール、レチノールエステル類（例えば、パルミチン酸レチニル、レチニルアセテート、プロピオン酸レチニルを含むレチノールのＣ2〜Ｃ22アルキルエステル類）、レチナール、及び／またはレチン酸（全トランスレチン酸及び／または１３−シス−レチン酸を含む）またはこれらの混合物から選択される。より好ましくは、レチノイドはレチン酸以外のレチノイドである。これらの化合物は、当該技術分野において周知であり、多くの供給元、例えば、シグマ・ケミカル社（Sigma Chemical Company）（米国ミズーリ州セントルイス（St. Louis））及びベーリンガー・マンハイム（Boehringer Mannheim）（米国インディアナ州インディアナポリス（Indianapolis））から市販されている。本明細書で有用なその他のレチノイドは、１９８７年６月３０日にパリッシュ（Parish）らへ発行された米国特許第４，６７７，１２０号、１９８９年１２月５日にパリッシュ（Parish）らへ発行された米国特許第４，８８５，３１１号、１９９１年９月１７日にパーセル（Purcell）らへ発行された米国特許第５，０４９，５８４号、１９９２年６月２３日にパーセル（Purcell）らへ発行された米国特許第５，１２４，３５６号、及び１９９２年９月２２日にパーセル（Purcell）らへ再発行された第３４，０７５号に記載されている。その他の適したレチノイドには、トコフェリルレチノエート［レチノイン酸（トランス−またはシス−）のトコフェロールエステル］、アダパレン｛６−［３−（１−アダマンチル）−４−メトキシフェニル］−２−ナフト工酸｝、及びタザロテン（エチル−６−［２−（４，４−ジメチルチオクロマン−６−イル）−エチニル］ニコチネート）である。好ましいレチノイドは、レチノール、パルミチン酸レチニル、レチニルアセテート、プロピオン酸レチニル、レチナール及びそれらの組み合わせである。
【０１０７】
（ｃ）ヒドロキシ酸
本発明の組成物は、安全且つ有効な量のヒドロキシ酸を含むことも可能である。本発明の組成物での使用に好ましいヒドロキシ酸類としてはサリチル酸及びサリチル酸誘導体が挙げられる。本発明の組成物中に存在する時、ヒドロキシ酸を好ましくは約０．０１％〜約５０％、より好ましくは約０．１％〜約１０％、及びいっそうより好ましくは約０．５％〜約２％の量で使用する。
【０１０８】
（ペプチド）
ジ−、トリ−、テトラ−、ならびにペンタペプチド及びそれらの誘導体を含めたペプチドを、これらに限定されるものではないが、本発明の組成物中に安全且つ有効な量で含むことも可能である。本明細書で使用する「ペプチド」とは、天然に存在するペプチド及び合成ペプチドの両方を指す。また本明細書で有用なのは、ペプチドを含有する天然に生じた組成物及び市販されている組成物である。
【０１０９】
本明細書での使用に適したジペプチドとしてはカルノシン（Carnosine）、（ベータ−ａｌａ−ｈｉｓ）が挙げられる。本明細書での使用に好適なトリペプチドは、ｇｌｙ−ｈｉｓ−ｌｙｓ、ａｒｇ−ｌｙｓ−ａｒｇ、ｈｉｓ−ｇｌｙ−ｇｌｙが挙げられる。好ましいトリペプチド及びその誘導体としては、バイオペプチド（Biopeptide）ＣＬ（登録商標）（フランスのセデルマ（Sederma）から市販されている１００ｐｐｍパルミトイル−ｇｌｙ−ｈｉｓ−ｌｙｓ）として購入することもできるパルミトイル−ｇｌｙ−ｈｉｓ−ｌｙｓ、ペプチドＣＫ（ａｒｇ−ｌｙｓ−ａｒｇ）、ペプチドＣＫ＋（ａｃ−ａｒｇ−ｌｙｓ−ａｒｇ−ＮＨ2）、及びラミン（lamin）としてシグマ（Sigma）（米国ミズーリ州セントルイス(St.Louis)）から市販されているｈｉｓ−ｇｌｙ−ｇｌｙの銅誘導体が挙げられる。本発明への使用に適したテトラペプチドには、ペプチドＥ、ａｒｇ−ｓｅｒ−ａｒｇ−ｌｙｓが含まれる。本明細書での使用に好適なペンタペプチドとしてはｌｙｓ−ｔｈｒ−ｔｈｒ−ｌｙｓ−ｓｅｒが挙げられる。市販されている好ましいペンタペプチド誘導体組成物はマトリキシル（Matrixyl）（登録商標）で、これはパルミトイル−ｌｙｓ−ｔｈｒ−ｔｈｒ−ｌｙｓ−ｓｅｒを１００ｐｐｍ含有し、セデルマ（Ｓederma）（フランス）より市販されている。好ましくは、ペプチドをパルミトイル−ｌｙｓ−ｔｈｒ−ｔｈｒ−ｌｙｓ−ｓｅｒ、パルミトイル−ｇｌｙ−ｈｉｓ−ｌｙｓ、それらの誘導体、及びそれらの組み合わせから選択する。
【０１１０】
（酸化防止剤／ラジカルスカベンジャー）
本発明の組成物は安全且つ有効な量の酸化防止剤／ラジカルスカベンジャーを包含することも可能で、好ましくはアスコルビン酸（ビタミンＣ）及びその塩、脂肪酸のアスコルビルエステル、アスコルビン酸誘導体（例、リン酸アスコルビルマグネシウム、リン酸アスコルビルナトリウム、アスコルビルグルコシド、ソルビン酸アスコルビル）、トコトリエノール、トコフェロール（ビタミンＥ）、ソルビン酸トコフェロール、酢酸トコフェロール、その他のトコフェロールエステル、ブチル化ヒドロキシ安息香酸及びその塩、６−ヒドロキシ−２，５，７，８−テトラメチルクロマン−２−カルボン酸（トロロクス（Trolox）（登録商標）の商品名で市販されている）、没食子酸及びそのアルキルエステル、特に没食子酸プロピル、ソルビン酸及びその塩、リポ酸、アミン（例えば、Ｎ，Ｎ−ジエチルヒドロキシルアミン、アミノグアニジン）、スルフヒドリル化合物（例えば、グルタチオン）、ジヒドロキシフマル酸及びその塩、バイオフラボノイド、クルクミン、リシン、メチオニン、プロリン、超酸化物不均化酵素、シリマリン、茶抽出物、グレープスキン／シード抽出物、メラニン、並びにローズマリー抽出物のような酸化防止剤／ラジカルスカベンジャーを使用することもできる。好ましい酸化防止剤／ラジカルスカベンジャーは、ソルビン酸トコフェロール、酢酸トコフェロール、その他のトコフェロールのエステル、及びこれらの混合物から選択される。酢酸トコフェロールはとりわけ好ましい。
【０１１１】
（キレート剤）
本発明の組成物は安全且つ有効な量のキレート化剤またはキレート剤を含有してもよい。本明細書で用いる「キレート化剤」または「キレート剤」とは、金属イオンが容易に化学反応に加わったり、化学反応を触媒したりしないように、錯体を形成することによって系から金属イオンを除くことができる活性剤を意味する。
【０１１２】
安全且つ有効量のキレート剤を、対象発明の組成物に加えることもでき、好ましくは組成物の約０．１％〜約１０％、より好ましくは約１％〜約５％である。本発明に有用な代表的なキレート剤の例は、１９９６年１月３０日にビセット（Bissett）らに発行された米国特許第５，４８７，８８４号、１９９５年１０月３１日に（ブッシュ（Bush）らに発行されたＰＣＴ国際公開特許ＷＯ９１／１６０３５、及び１９９５年１０月３１日に（ブッシュ（Bush）らに発行されたＷＯ９１／１６０３４に開示されている。対象発明の組成物に有効な好ましいキレート化剤は、フリルジオキシム、フリルモノオキシム、及びそれらの誘導体である。
【０１１３】
（フラボノイド）
本発明の組成物は任意にフラボノイド化合物を含有することも可能である。フラボノイドは、米国特許第５，６８６，０８２号及び第５，６８６，３６７号に広く開示されている。本明細書で有用なフラボノイドの非限定例には、非置換フラボン、７，２’−ジヒドロキシフラボン、３’，４’−ジヒドロキシナフトフラボン、４’−ヒドロキシフラボン、５，６−ベンゾフラボン、及び７，８−ベンゾフラボン、非置換イソフラボン、ダイゼイン（７，４’−ジヒドロキシイソフラボン）、５，７−ジヒドロキシ−４’−メトキシイソフラボン、大豆イソフラボン（大豆から抽出された混合物）、及びこれらの混合物が挙げられる。
【０１１４】
フラボノイド化合物は、存在する場合、約０．０１重量％〜約２０重量％、より好ましくは約０．１重量％〜約１０重量％の濃度である。
【０１１５】
（抗炎症剤）
安全且つ有効な量の抗炎症剤を、組成物の約０．１％〜約１０％、あるいは約０．５％〜約５％、本発明の組成物に加えることも可能である。
【０１１６】
本明細書で有用な「天然」抗炎症剤の非限定例には、キャンデリラろう、ビサボロール（例えば、αビサボロール）、アロエベラ、植物ステロール（例えば、フィトステロール）、及びこれらの混合物が挙げられる。
【０１１７】
本明細書で有用なその他の抗炎症剤としては、グリチルリチン酸二カリウムのようなグリチルリチン酸塩化合物が挙げられる。安全且つ有効な量の抗炎症剤を本発明の組成物に加えることもでき、好ましくは組成物の約０．１％〜約１０％、より好ましくは約０．５％〜約５％である。
【０１１８】
（抗セルライト剤）
本発明の組成物は、安全且つ有効な量の抗セルライト剤を含有することも可能である。適した抗セルライト剤としては、キサンチン化合物（例、カフェイン、テオフィリン、テオブロミン、及びアミノフィリン）を挙げることが可能であるが、これらに限定されない。
【０１１９】
（局所麻酔剤）
本発明の組成物は安全且つ有効な量の局所麻酔剤を含有することも可能である。局所麻酔剤の例には、ベンゾカイン、リドカイン、ブピバカイン、クロルプロカイン、ジブカイン、エチドカイン、メピバカイン、テトラカイン、ジクロニン、ヘキシルカイン、プロカイン、コカイン、ケタミン、プロモキシン、フェノール、及び薬理学的に許容可能なそれらの塩類が挙げられる。
【０１２０】
（日焼け活性剤）
本発明の組成物は、人工日焼け剤として、安全且つ有効な量の、好ましくは約０．１％〜約２０％のジヒドロキシアセトンを含むこともできる。
ジヒドロキシアセトンは、ＤＨＡまたは１，３−ジヒドロキシ−２−プロパノンとしても知られるが、それは白色から灰白色の結晶性粉末である。
【０１２１】
（美白剤）
本発明の組成物は美白剤を含むことも可能である。美白剤が使用される時、組成物は、組成物の好ましくは約０．１重量％〜約１０重量％、より好ましくは約０．２重量％〜約５重量％、より好ましくは約０．５重量％〜約２重量％の美白剤を含有する。好適な美白剤としては、コウジ酸、アルブチン、アスコルビン酸及びこれらの誘導体（例えば、アスコルビルリン酸マグネシウムまたはアスコルビルリン酸ナトリウム）、及び抽出物（例えば、くわの実抽出物、胎盤抽出物）等の、当業界で既知のものが挙げられる。本明細書に用いるのに好適な美白剤としては、１９９５年６月１２日発行のＰＣＴ出願ＵＳ９５／０７４３２に対応するヒルブランド（Hillebrand）名義のＰＣＴ国際公開特許ＷＯ９５／３４２８０、及び１９９５年９月８日発行されたＰＣＴ国際公開特許ＷＯ９５／２３７８０（）に対応するクバルンス（Kvalnes）、ミッチェルＡ・デロング（Mitchell A.DeLong）、バートンＪ・ブラッドベリ（Barton J.Bradbury）、カーチスＢ・モトレー（Curtis B.Motley）、及びジョンＤ・カーター（John D.Carter）の名義で出願された同時係属の米国特許出願第０８／３９０，１５２号に記載されている美白剤が挙げられる。
【０１２２】
（皮膚鎮静及び皮膚治療活性剤）
本組成物に、安全且つ有効な量の皮膚鎮静剤及び皮膚治療活性剤を、生成する組成物の好ましくは約０．１重量％〜約３０重量％、より好ましくは約０．５重量％〜約２０重量％、さらにより好ましくは約０．５重量％〜約１０重量％加えることも可能である。本明細書の使用に適した皮膚鎮静剤または皮膚治療活性剤としては、パンテノール酸誘導体（パンテノール、デクスパンテノール、エチルパンテノールを含む）、アロエベラ、アラントイン、ビサボロール、及びグリチルリチン酸二カリウムが挙げられる。
【０１２３】
（抗菌及び抗カビ活性剤）
本発明の組成物は、抗菌または抗カビ活性剤を含有することも可能である。安全且つ有効な量の抗菌または抗カビ活性剤が、好ましくは約０．００１％〜約１０％、より好ましくは約０．０１％〜約５％、更により好ましくは約０．０５％〜約２％で本発明の組成物に加えることもできる。
抗菌及び抗カビ活性剤の例には、フェノキシエタノール、亜鉛エリスロマイシン、クロルへキシジングルコナートが挙げられる。
【０１２４】
（日焼け止め活性剤）
紫外線に曝されることによって、角質層の過度の鱗屑と組織変化を招き得る。それゆえに、対象発明の組成物は、安全且つ有効な量の日焼け止め活性剤を含有することもできる。本明細書で使用する「日焼け止め活性剤」とは、日焼け止め剤及び物理的日焼け防止剤の両方を含む。適した日焼け止め活性物質は、有機または無機でもよい。
【０１２５】
本明細書で有用な無機日焼け止め剤としては次のような金属酸化物が挙げられる；約１５ｎｍ〜１００ｎｍの平均一次粒子サイズを有する二酸化チタン、約１５ｎｍ〜１５０ｎｍの平均一次粒子サイズを有する酸化亜鉛、約１５ｎｍ〜１５０ｎｍの平均一次粒子サイズを有する酸化ジルコニウム、約１５ｎｍ〜５００ｎｍの平均一次粒子サイズを有する酸化鉄、及びこれらの混合物である。本明細書で使用する無機日焼け止め剤は、組成物の約０．１重量％〜約２０重量％、好ましくは約０．５重量％〜約１０重量％、より好ましくは約１重量％〜約５重量％の量で存在する。
【０１２６】
多種多様な従来からの有機日焼け止め活性剤が本明細書の使用に好適である。サガリン（Sagarin）ら、コスメティック・サイエンス・アンド・テクノロジー（Cosmetics Science and Technology）（１９７２年）の第ＶＩＩＩ章、１８９頁以下、及びスタインベルグ（Steinberg）、コスメティックス・アンド・トイレタリーズ（Cosmetics and Toiletries）（１９９６年）の第１１１巻、７７頁以下には、多数の好適な活性物質が開されている。本明細書で有用な有機日焼け止め活性剤の非限定例には、オクチルサルチレート、２−フェニルベンゾイミダゾール−５−スルホン酸塩、テレフタリリデンジカンファースルホン酸の塩、オクトクリレン、オクチルメトキシシンナメート、アボベンゾン、及びこれらの混合物が挙げられる。
【０１２７】
有機日焼け止め活性剤の安全且つ有効な使用量は通常、組成物の約１重量％〜約２０重量％、より典型的には約２重量％〜約１０重量％である。正確な量は、選択される日焼け止め剤または日焼け止め剤類及び所望の太陽光線保護指数（ＳＰＦ）によって変わる。
【０１２８】
（粒子状物質）
本発明の組成物は、安全且つ有効な量の微粒子物質、好ましくは金属酸化物を含有することも可能である。これらの粒子はコーティングされてもコーティングされなくてもよく、荷電されても荷電されなくてもよい。荷電された粒子状物質は本明細書に参考書として組み入れたハー（Ha）らによる米国特許第５，９９７，８８７号に開示されている。本明細書で有用な粒子状物質には、オキシ塩化ビスマス、酸化鉄、雲母、硫酸バリウム及びＴｉＯ２で処理した雲母、シリカ、ナイロン、ポリエチレン、タルク、スチレン、ポリプロピレン、エチレン／アクリル酸コポリマー、ポリメチルシルセスキオキサン、二酸化チタン、酸化鉄、オキシ塩化ビスマス、セリサイト、酸化アルミニウム、シリコーン樹脂、硫酸バリウム、炭酸カルシウム、酢酸セルロース、ポリメチルメタクリレート、及びそれらの混合物が挙げられる。
【０１２９】
適した粒子状物質の一例としては、Ｕ．Ｓ．コスメチックス（U.S.Cosmetics）から市販されている物質が挙げられる（トロノックス（TRONOX）ＴｉＯ２シリーズ、ＳＡＴ−Ｔ  ＣＲ８３７、ルチルＴｉＯ２）。一般に、粒子状物質は組成物の約０．０１重量％〜約２重量％、あるいは約０．０５重量％〜約１．５重量％、及び約０．１重量％〜約１重量％の濃度で組成物中に存在する。
【０１３０】
（コンディショニング剤）
本発明の組成物は、安全且つ有効な量の湿潤剤、加湿剤、または皮膚コンディショナーから選択されるコンディショニング剤を含有することも可能である。多様なこれらの物質を使用することができ、それぞれは約０．０１％〜約２０％、より好ましくは約０．１％〜約１０％、いっそうより好ましくは約０．５％〜約７％の濃度で存在し得る。これらのコンディショニング剤の例としては、グアニジン；尿素；グリコール酸及びグリコール酸塩（例、アンモニウム及び第四級アルキルアンモニウム）；サリチル酸；乳酸及びラクテート塩（例、アンモニウム及び第四級アルキルアンモニウム）；種々の形態のアロエベラ（例、アロエベラゲル）；ソルビトール、マンニトール、キシリトール、エリスリトール、グリセロール、ヘキサントリオール、ブタントリオール、プロピレングリコール、ブチレングリコール、ヘキシレングリコールなどのポリヒドロキシアルコール；ポリエチレングリコール；糖（例えばメリビオース）及び澱粉；糖及び澱粉誘導体（例、アルコキシ化グルコース、フコース、グルコサミン）；ヒアルロン酸；モノエタノールアミンラクタミド；モノエタノールアミンアセトアミド；パンテノール；アラントイン；及びこれらの混合物が挙げられるが、これに限定されるものではない。本明細書に有用なものとして、１９９０年１２月１１日にオール（Orr）らに発行された米国特許第４，９７６，９５３号に記載されているプロポキシ化グリコール類もある。
【０１３１】
更に有効なものとして、さまざまなＣ1〜Ｃ30の糖類及び関連物質のモノエステル及びポリエステルもある。これらのエステルは、糖またはポリオール部及び１つまたは複数のカルボン酸部に由来する。
【０１３２】
コンディショニング剤が皮膚軟化剤である場合、該コンディショニング剤は一般に、炭化水素、脂肪酸、脂肪族アルコール及びエステルから選択される。イソノニルイソノナノエートは、このような炭化水素型の皮膚軟化剤コンディショニング剤の一つである。その他の炭化水素で用いてもよいものには、鉱油、ポリデセンのようなポリオレフィン、及びイソヘキサデカン（例えば、ペルメチル９９（登録商標）及びペルメチル１０１（登録商標））のようなパラフィンが挙げられる。
好ましくは、コンディショニング剤は、スクロースポリエステル、パンテノール、デクスパンテノール、アラントイン、及びこれらの組み合わせから選択される。
【０１３３】
（増粘剤成分（増粘剤及びゲル化剤を含む））
本発明の組成物は、安全且つ有効な量の１以上の増粘剤成分を、組成物の好ましくは約０．１重量％〜約５重量％、より好ましくは約０．１重量％〜約４重量％、いっそうより好ましくは約０．２５重量％〜約３重量％含有することも可能である。
【０１３４】
増粘剤成分の部類としては次が挙げられる：
ａ）カルボン酸ポリマー
これらのポリマーは、アクリル酸、置換型アクリル酸、及びこのようなアクリル酸や置換型アクリル酸の塩及びエステルに由来する１以上のモノマーを含む架橋した化合物であるが、ここで架橋剤は２以上の炭素間二重結合を含み、かつ多価アルコールに由来する。本発明で有用なポリマーは、１９９２年２月１１日に（ハフェイ（Haffey）らへ発行された米国特許第５，０８７，４４５号、１９８５年４月５日にハング（Huang）らに発行された米国特許第４，５０９，９４９号、１９５７年７月２日にブラウン（Brown）へ発行された米国特許第２，７９８，０５３号、及びＣＴＦＡ国際化粧品成分事典（CTFA International Cosmetic Ingredient Dictionary）、第４版、１９９１年、１２頁及び８０頁により完全に記載されている。
【０１３５】
本明細書において有用な市販されているカルボン酸ポリマーの例には、スクロースまたはペンタエリトリトールのアリルエーテルと架橋したアクリル酸のホモポリマーであるカルボマーが挙げられる。カルボマーは、Ｂ．Ｆ．グッドリッチ（B．F．Goodrich）からカルボポール（Carbopol）（登録商標）９００シリーズ（例えば、カルボポール（Carbopol）（登録商標）９５４）として入手可能である。加えて、その他の好適なカルボン酸重合剤には、Ｃ10〜30アルキルアクリレートと１または複数のアクリル酸モノマー、メタクリル酸モノマー、またはそれらの短鎖の１つ（すなわちＣ14アルコール）のエステルとのコポリマーが包含され、ここでの架橋剤はスクロースのアリルエーテルまたはペンタエリトリトールである。これらのコポリマーは、アクリレート／Ｃ10〜Ｃ30アルキルアクリレートクロスポリマーとして知られ、通常、カルボポール（Carbopol）（登録商標）１３４２、カルボポール（登録商標）１３８２、ペムレン（Pemulen）ＴＲ−１、及びペムレン（Pemulen）ＴＲ−２としてＢ．Ｆ．グッドリッチ社（B.F.Goodrich）より市販されている。本明細書中で有用なカルボン酸ポリマー増粘剤の例は、カルボマー、アクリレート類／Ｃ10〜Ｃ30アルキルアクリレート架橋ポリマー及びそれらの混合物から選択されるものである。
【０１３６】
ｂ）架橋ポリアクリレートポリマー
本発明の組成物は、陽イオン及び非イオン系ポリマーの両方を包含する増粘剤またはゲル化剤として有用な安全且つ有効な量の架橋ポリアクリレートポリマーを含有してもよいが、陽イオン系ポリマーが一般に好ましい。有用な架橋非イオン性ポリアクリレートポリマー及び架橋陽イオン性ポリアクリレートポリマーの例は、１９９２年３月３１日にホー（Hawe）らへ発行された米国特許第５，１００，６６０号、１９８９年７月１８日にハード（Heard）へ発行された発米国特許第４，８４９，４８４号、１９８９年５月３０日にファラー（Farrar）らへ発行された米国特許第４，８３５，２０６号、１９８６年１２月９日にグローバー（Glover）らへ発行された米国特許第４，６２８，０７８号、１９８６年７月８日にフレッシャ−（Flesher）らへ発行された米国特許第４，５９９，３７９号、及び１９８７年７月１５日にファラー（Farrar）らへ発行されたＥＰ２２８，８６８に記載されているものがある。
【０１３７】
ｃ）ポリアクリルアミドポリマー
本発明の組成物は、安全且つ有効な量のポリアクリルアミドポリマー、とりわけ置換分岐または非分岐ポリマーを包含する非イオン系ポリアクリルアミドポリマーを含有することもできる。これらのポリアクリルアミドポリマーのうち、より好ましいのは、ＣＴＦＡの呼称ポリアクリルアミド、イソパラフィン、及びラウレス−７が与えられている非イオン系ポリマーであり、商品名セピゲル（Sepigel）３０５としてセピックコーポレーション（SeppicCorporation）（米国ニュージャージー州フェアフィールド（Fairfield））より市販されている。
【０１３８】
本明細書で有用なもう一つのポリアクリルアミドポリマーには、アクリルアミド類及び置換アクリルアミド類とアクリル酸類及び置換アクリル酸類との多重ブロックコポリマーが挙げられる。このような多重ブロックコポリマーの市販品の例としては、リポケミカルズ社（Lipo Chemicals、Inc.）（米国ニュージャージー州パターソン（Patterson））のハイパン（Hypan）ＳＲ１５０Ｈ、ＳＳ５００Ｖ、ＳＳ５００Ｗ、ＳＳＳＡ１００Ｈが挙げられる。
【０１３９】
ｄ）多糖類
多種多様な多糖類が本明細書で有用である。「多糖類」とは、反復する糖（即ち炭水化物）単位の主鎖を含有するゲル化剤を指す。多糖類ゲル化剤の例としては、セルロース、カルボキシメチルヒドロキシエチルセルロース、セルロースアセテートプロピオネートカルボキシレート、ヒドロキシエチルセルロース、ヒドロキシエチルエチルセルロース、ヒドロキシプロピルセルロース、ヒドロキシプロピルメチルセルロース、メチルヒドロキシエチルセルロース、微結晶セルロース、セルロース硫酸ナトリウム、及びこれらの混合物から選択されるものが挙げられる。アルキル基置換セルロースもまた本明細書で有用である。これらのポリマーにおいて、セルロースポリマーのヒドロキシ基は、ヒドロキシアルキル化（好ましくはヒドロキシエチル化またはヒドロキシプロピル化）されてヒドロキシアルキル化セルロースを形成し、次いでエーテル結合を介してＣ10〜Ｃ30の直鎖または分枝鎖アルキル基で更に変性される。典型的にはこれらのポリマーは、ヒドロキシアルキルセルロースとＣ10〜Ｃ30の直鎖または分枝鎖アルコールのエーテルである。本明細書で有用なアルキル基の例としては、ステアリル、イソステアリル、ラウリル、ミリスチル、セチル、イソセチル、ココイル（即ちココヤシ油のアルコールに由来するアルキル基）、パルミチル、オレイル、リノレイル、リノレニル、リシノレイル、ベヘニル、及びこれらの混合物から選択されるものが挙げられる。アルキルヒドロキシアルキルセルロースエーテル類のうちで好ましいのは、ＣＴＦＡの呼称がセチルヒドロキシエチルセルロースで、セチルアルコールとヒドロキシエチルセルロースとのエーテルである物質である。この物質は商品名ナトロゾル（Natrosol）（登録商標）ＣＳプラス（CS Plus）としてアクアロン社（Aqualon Corporation）（米国デラウェア州ウィルミントン（Wilmington））より市販されている。
【０１４０】
その他の有用な多糖類は、３単位毎の（１〜６）結合グルコースと共に直鎖の（１〜３）結合グルコース単位であるスクレログルカンが挙げられ、市販品で得られる実施例は、マイケルメルシエプロダクト社（Michel Mercier Products Inc.）（米国ニュージャージー州マウンテインサイド（Mountainside））のクレアロゲール（Clearogel）（登録商標）ＣＳ１１である。
【０１４１】
ｅ）ゴム類
本明細書において有用なその他の増粘剤及びゲル化剤には、主として自然の供給源に由来する物質が含まれる。このようなゲル化剤の例としては、アカシア、寒天、アルギン、アルギン酸、アルギン酸アンモニウム、アミロペクチン、アルギン酸カルシウム、カラゲナンカルシウム、カルニチン、カラゲナン、デキストリン、ゼラチン、ジェランガム、グアーガム、ヒドロキシプロピルトリモニウム塩化グアー、ヘクトライト、ヒアルロン酸、水酸化珪素、ヒドロキシプロピルキトサン、ヒドロキシプロピルグアー、カラヤガム、ケルプ、イナゴマメガム、納豆ガム、アルギネートカリウム、カラゲナンカリウム、アルギン酸プロピレングリコール、スクレロチンガム、カルボキシメチルデキストランナトリウム、カラゲナンナトリウム、トラガカントガム、キサンタンゴム、及びその混合物が挙げられる。
【０１４２】
本発明の組成物は、カルボン酸ポリマー、架橋ポリアクリレートポリマー、ポリアクリルアミドポリマー、及びこれらの混合物から選択される増粘剤を包含し、カルボン酸ポリマー、ポリアクリルアミドポリマー、及びこれらの混合物から選択されるものを含む。
【０１４３】
組成物の調製
本発明の方法に有用な組成物は一般に、局所用組成物を製造する場合に当業者には既知であるような従来の方法によって調製する。かかる方法は一般的に、加熱、冷却、真空適用等の有りまたは無しで、各成分を一段階またはそれより多くの段階で混合して比較的均一な状態にすることを含む。
【０１４４】
皮膚状態を調整する方法
本発明のスキンケアキットは哺乳類の皮膚状態の調整に有用である。かかるケラチン組織の調整は、予防的及び治療的調整を包含し得る。例えば、この調整法は、ケラチン組織の増濃化（すなわち、皮膚の真皮及び／または表皮層及び爪及び適用可能な場合の毛髪の軸のケラチン層の形成）及び哺乳類皮膚の萎縮の予防及び／または遅延、哺乳類皮膚のクモ状脈管及び／または赤いしみの予防及び／または遅延、哺乳類の目の下のくまの出現の予防及び／または遅延、哺乳類の皮膚の青白さの予防及び／または遅延、哺乳類の皮膚のたるみの予防及び／または遅延、哺乳類の唇、毛髪、爪を軟化及び／または平滑化、哺乳類の皮膚のかゆみの予防及び／または軽減、肌の構造（例、皺及び細かい線）の調節、及び皮膚の色（例、赤み、そばかす）の改善等である。
【０１４５】
ケラチン組織状態の調整には、安全且つ有効な量の本発明の組成物をケラチン組織に局所的に付けることを含む。付ける組成物の量、適用頻度、及び使用期間は、特定の組成物のスキンケア活性剤及び／またはその他の所与の組成物の構成要素の濃度によって、並びに所望の調整の程度、例えば、存在するまたは生じると予想されるケラチン組織の損傷の程度を考慮して様々に異なる。
【０１４６】
好ましい実施様態においては、本発明の組成物を皮膚に長期間にわたって付ける。「長期にわたって局所に付けること」は、対象の生存中長期間にわたる、好ましくは少なくとも約１週間、より好ましくは少なくとも約１か月間、更により好ましくは少なくとも約３か月間、更により好ましくは少なくとも約６か月間、及びよりいっそう好ましくは少なくとも約１年間にわたって本発明組成物を連続的に局所に付けることを意味する。利益は種々の最大使用期間（例えば、５年、１０年、または２０年）後に得ることができるが、対象者の生涯を通して常習的に付けることを継続していくことが好ましい。概して付与はこのような延長された期間にわたって１日当たり約１回程度であろうが、付与の度合いは１週間あたり約１回から１日当たり約３回またはそれ以上まで変動させることができる。
【実施例】
【０１４７】
次の実施例は、本発明の範囲内の実施態様を更に説明及び明示する。実施例は、単に例示の目的のために与えられており、本発明を限定するものとして解釈されるべきではなく、本発明の精神及び範囲を逸脱しない限り、多くの変更が可能である。適用可能な場合、成分はＣＴＦＡ名称で表されている。
【０１４８】
（実施例１〜７）
（シリコーン中水型スキンクリーム）
シリコーン中水型スキンクリームは、従来の方法によって次の構成要素から調製する。成分の量は、組成物の重量による割合で示す。
【０１４９】
【表１】
2004531319.tif 000005
1メクソリル（Mexoryl）ＳＸとしてキメックス（Chimex）から入手することができる。
2ペプチドはセデルマ（Sederma）から入手することができる。
3ダウ・コーニング（Dow Corning）の、シクロメチコーン中１２％のジメチコーン／ビニルジメチコーンクロスポリマー
ルクロスポリマー
5二酸化チタンＧＬＷ７５ＣＡＰ−ＭＰはコボ（KOBO）から入手することができる。
6パーソール（Parsol）１７８９はロシェ（Roche）から入手することができる。
7フィトステロール（Fytosterol）−８５はドラゴコ（Dragoco）から入手することができる。
8ＥＡ−２０９はコボ（KOBO）から入手することができる。
【０１５０】
いずれも、プロペラ・ブレードを備える適切なミキサー（例えばテクマー（Tekmar）モデルＲＷ２０ＤＺＭ）を用いて、Ａ相の成分を適切な容器内で併せて混合し、Ｂ相の成分を別の適切な容器内で併せて混合する。Ｃ相の成分がある場合、その成分を別の適切な容器内（必要であれば）で併せて混合し、Ｂ相に加える。両方の相が均質になったら、Ｂ相をプロペラ・ブレードで混合しながら、Ａ相をゆっくりＢ相に加える。バッチが均一になるまで混合を維持する。その結果得られたエマルションを、次に適切なミル（例えば、テクマー（Tekmar）Ｔ２５）を用いて、均一になるまで数分間粉砕する。当業者には既知であるように、製品粘度は、追加の粉砕によって望ましいレベルまで上昇させることもできる。バッチ混合物が均一になった後、得られた組成物を本明細書に記載されているような好適なディスペンサーに導入する。
【図面の簡単な説明】
【０１５１】
【図１】本発明のポンプディスペンサーの第一の実施形態によるディスペンサーの縦断面図を示す。
【図２】本発明のポンプディスペンサーの第二の実施形態によるディスペンサーの縦断面図を示す。
【図３】本発明の第三の実施形態によるディスペンサーのヘッドピースの縦断面図を示す。
【図４】本発明の第四の実施形態によるディスペンサーのヘッドピースの縦断面図を示す。
【図５】本発明の第五の実施形態によるディスペンサーのヘッドピースの縦断面図を示す。
【図１】
2004531319.tif 000006
【図２】
2004531319.tif 000007
【図３】
2004531319.tif 000008
【図４】
2004531319.tif 000009
【図５】
2004531319.tif 000010
【国際公開パンフレット】
2004531319.tif 000011
2004531319.tif 000012
2004531319.tif 000013
2004531319.tif 000014
2004531319.tif 000015
2004531319.tif 000016
2004531319.tif 000017
2004531319.tif 000018
2004531319.tif 000019
2004531319.tif 000020
2004531319.tif 000021
2004531319.tif 000022
2004531319.tif 000023
2004531319.tif 000024
2004531319.tif 000025
2004531319.tif 000026
2004531319.tif 000027
2004531319.tif 000028
2004531319.tif 000029
2004531319.tif 000030
2004531319.tif 000031
2004531319.tif 000032
2004531319.tif 000033
2004531319.tif 000034
2004531319.tif 000035
2004531319.tif 000036
2004531319.tif 000037
2004531319.tif 000038
2004531319.tif 000039
2004531319.tif 000040
2004531319.tif 000041
2004531319.tif 000042
2004531319.tif 000043
2004531319.tif 000044
2004531319.tif 000045
2004531319.tif 000046
2004531319.tif 000047
2004531319.tif 000048
2004531319.tif 000049
2004531319.tif 000050
2004531319.tif 000051
2004531319.tif 000052
2004531319.tif 000053
2004531319.tif 000054
2004531319.tif 000055
2004531319.tif 000056
2004531319.tif 000057
2004531319.tif 000058
【国際公開パンフレット（コレクトバージョン）】
2004531319.tif 000059
2004531319.tif 000060
【国際調査報告】
2004531319.tif 000061
2004531319.tif 000062
2004531319.tif 000063
2004531319.tif 000064